(57)【要約】【課題】ハンドル操作を好適に行える遊技機を提供する。【解決手段】ハンドル装置７１は、前扉枠１４に固定される基部と、基部に固定され、ハンドル装置７１の前部を構成する前面ユニット７３と、基部と前面ユニット７３との間に設けられ、遊技球の発射に際して回動操作されるとともに、その回動操作量に基づいて遊技球の発射速度を調整可能な操作ハンドル７４とを備え、操作ハンドル７４の外周面に突出して各奥側指掛け部１１５ａ〜１１５ｃが一体形成され、前面ユニット７３を構成する回動リング１２５の外周面に突出して各手前側指掛け部１１６ａ〜１１６ｃが一体形成されており、各奥側指掛け部１１５ａ〜１１５ｃと各手前側指掛け部１１６ａ〜１１６ｃとが固定されている。この構成によると、各奥側指掛け部１１５ａ〜１１５ｃ及び各手前側指掛け部１１６ａ〜１１６ｃのいずれか一方に指を掛けた状態で操作ハンドル７４を回動操作することができる。【選択図】図１
2015000105.tif 000002
【特許請求の範囲】
【請求項１】
遊技領域に向けて遊技球を発射すべく操作されるハンドル装置を遊技機本体の正面に備えており、
前記ハンドル装置は、
前記遊技機本体に固定される基部と、
前記基部に固定され、前記ハンドル装置の前部を構成するカバー部と、
前記基部と前記カバー部との間に設けられ、遊技球の発射に際して回動操作されるとともに、その回動操作量に基づいて遊技球の発射速度を調整可能な操作部材と、
前記操作部材に設けられ、指を掛けた状態で前記操作部材を回動可能な指掛け部と
を備えており、
前記指掛け部は、
前記操作部材の外周から突出して設けられた第１指掛け部と、
前記第１指掛け部より前方において前記カバー部の表面よりも外側へ突出して設けられ、前記第１指掛け部と一体的に回動する第２指掛け部と
を備えていることを特徴とする遊技機。
【請求項２】
前記第１指掛け部及び前記第２指掛け部は、前後に並んで設けられていることを特徴とする請求項１に記載の遊技機。
【請求項３】
前記カバー部は、前記ハンドル装置の前方に向けて半球形状に膨出しており、前記第２指掛け部は、前記カバー部の表面に沿い、前記第１指掛け部から前記カバー部の頂部に向かって延出していることを特徴とする請求項１又は２に記載の遊技機。
【請求項４】
前記ハンドル装置は、遊技機本体における正面の左右方向の一方寄りに備えられており、前記操作部材の回動方向が前記ハンドル装置の設置方向と同方向であって、前記第２指掛け部は、前記第１指掛け部側である基端部から前記カバー部の頂部側である先端部に向けて前記操作部材の回動方向と逆向きに湾曲又は屈曲していることを特徴とする請求項１乃至３いずれか一項に記載の遊技機。
【請求項５】
前記第１指掛け部の前記操作部材からの突出量よりも、前記第２指掛け部の前記カバー部からの突出量の方が小さいことを特徴とする請求項１乃至４いずれか一項に記載の遊技機。
【請求項６】
複数の前記第２指掛け部と一体的に回動し、それら第２指掛け部を環状に結合する回動部が設けられていることを特徴とする請求項１乃至５いずれか一項に記載の遊技機。
【請求項７】
前記カバー部は、前記ハンドル装置の前方に向けて半球形状に膨出しており、複数の前記第２指掛け部は、前記カバー部の表面に沿い、前記第１指掛け部から前記カバー部の頂部へ向けて延出しているとともに、前記頂部側にて、それら第２指掛け部と前記回動部とが結合していることを特徴とする請求項６に記載の遊技機。
【請求項８】
前記回動部は、前記ハンドル装置の内部にて、前記操作部材に固定されていることを特徴とする請求項６又は７に記載の遊技機。
【請求項９】
前記第１指掛け部及び前記第２指掛け部は、前記第１指掛け部の背面から固定されていることを特徴とする請求項１乃至５いずれか一項に記載の遊技機。
【請求項１０】
遊技領域に向けて遊技球を発射すべく操作されるハンドル装置を遊技機本体の正面に備えており、
前記ハンドル装置は、
前記遊技機本体に固定される基部を備えており、
前記ハンドル装置の前部を構成し、全体として前方に向けて半球形状に膨出した前面ユニットと、
前記基部と前記前面ユニットとの間に設けられ、遊技球の発射に際して回動操作されるとともに、その回動操作量に基づいて遊技球の発射速度を調整可能な操作部材と
を備え、
前記前面ユニットは、
前記基部に固定され、前記前面ユニットの後側を構成する後側カバー部と、
前記後側カバー部に固定され、前記前面ユニットの頂部を含む前側を構成する前側カバー部と、
前記後側カバー部と前記前側カバー部との間に設けられ、前記操作部材と一体的に回動する回動部と
を備え、
前記操作部材の外周から突出して設けられ、指を掛けた状態で前記操作部材を回動可能な複数の第１指掛け部と、
前記後側カバー部の表面よりも外側へ突出してそれら第１指掛け部の前方に並んで設けられ、それら第１指掛け部の背面からそれら第１指掛け部に固定された複数の第２指掛け部と
を備え、
それら第２指掛け部は、前記後側カバー部の表面に沿って前記頂部に向かい延出され、延出先が前記回動部と一体的に設けられ、それら第２指掛け部の突出量がそれら第１指掛け部の突出量よりも小さく、指を掛けた状態でそれら第１指掛け部を介して、前記操作部材を回動可能であることを特徴とする遊技機。
【請求項１１】
遊技領域に向けて遊技球を発射すべく操作されるハンドル装置を遊技機本体における正面の左右方向の一方寄りに備えており、
前記ハンドル装置は、
前記遊技機本体に固定される基部と、
前記ハンドル装置の前部を構成し、全体として前方に向けて半球形状に膨出したカバー部と、
前記基部と前記カバー部との間に設けられ、遊技球の発射に際して回動操作されるとともに、その回動操作量に基づいて遊技球の発射速度を調整可能であり、その回動操作方向が前記ハンドル装置の設置方向と同方向に回動可能な操作部材と
を備えており、
前記操作部材の外周から突出して設けられ、指を掛けた状態で前記操作部材を回動可能な複数の第１指掛け部と、
前記カバー部の表面より外側へ突出してそれら第１指掛け部の前方に並んで設けられ、それら第１指掛け部の背面からそれら第１指掛け部に固定されており、突出量がそれら第１指掛け部の突出量よりも小さく、指を掛けた状態でそれら第１指掛け部を介して、前記操作部材を回動可能な複数の第２指掛け部と
を備え、
それら第２指掛け部は、前記カバー部の表面に沿って前記カバー部の頂部に向かい延出され、それら第１指掛け部側である基端部から前記頂部側である先端部に向けて、前記操作部材の回動方向と逆向きに湾曲又は屈曲していることを特徴とする遊技機。
【請求項１２】
遊技領域に向けて遊技球を発射すべく操作されるハンドル装置を遊技機本体の正面に備えており、
前記ハンドル装置は、
前記遊技機本体に固定される基部を備えており、
前記ハンドル装置の前部を構成し、全体として前方に向けて膨出した前面ユニットと、
前記基部と前記前面ユニットとの間に設けられ、遊技球の発射に際して回動操作されるとともに、その回動操作量に基づいて遊技球の発射速度を調整可能な操作部材と
を備え、
前記前面ユニットは、
前記基部に固定され、前記前面ユニットの後側を構成する後側カバー部と、
前記後側カバー部に固定され、前記前面ユニットの前側を構成し、前記ハンドル装置の前方に向けて半球形状に形成された前側カバー部と、
前記後側カバー部と前記前側カバー部との間に設けられ、前記後側カバー部の内部にて前記操作部材と固定され、前記操作部材と一体的に回動し、前記操作部材の外径よりも小さい外径である回動部と
を備え、
前記操作部材の外周から突出して設けられ、指を掛けた状態で前記操作部材を回動可能な複数の第１指掛け部と、
前記回動部の外周よりも外側に突出してそれら第１指掛け部の前方に並んで設けられ、突出量がそれら第１指掛け部の突出量よりも小さく、指を掛けた状態で前記回動部を介して、前記操作部材を回動可能な第２指掛け部と
を備えていることを特徴とする遊技機。
【発明の詳細な説明】
【技術分野】
【０００１】
本発明は、パチンコ機等の遊技機に関するものである。
【背景技術】
【０００２】
遊技機の一種であるパチンコ機は、遊技機本体の前面部にハンドル装置を備えており、当該ハンドル装置が操作されることで発射装置が動作し、遊技領域の上部に遊技球が発射される。
【０００３】
従来のハンドル装置は、遊技機本体に固定された基部と、ハンドル装置の前面部を構成するカバー部と、これら基部及びカバー部の間に設けられ、回動可能である操作部材と、操作部材に設けられ、指を掛けた状態で操作部材を回動操作することが可能な指掛け部とを備えている。遊技者は、指掛け部に指を掛けた状態で操作部材の回動量を調節し、遊技球が所望の飛距離となるようにする（例えば特許文献１参照）。
【先行技術文献】
【特許文献】
【０００４】
【特許文献１】特開２００９−１６０２３０号公報
【発明の概要】
【発明が解決しようとする課題】
【０００５】
上記ハンドル装置では、例えば、遊技者が指掛け部に指を掛けると同時に、基部又はカバー部の少なくとも一方に手を接触させることにより、指掛け部を所望の位置に保持できる。これにより、遊技球の発射が安定して行われる。
【０００６】
一方で、このようなハンドル装置の場合、通常程度の手の大きさである遊技者にとってはハンドル操作を好適に行えるが、例えば、通常程度よりも手が小さい等の遊技者にとってはハンドル操作を好適に行えない場合も想定される。
【０００７】
本発明は、以上例示した事情等を鑑みてなされたものであり、ハンドル操作を好適に行える遊技機を提供することを目的とするものである。
【課題を解決するための手段】
【０００８】
上記課題を解決するため本発明は、
遊技領域に向けて遊技球を発射すべく操作されるハンドル装置を遊技機本体の正面に備えており、
前記ハンドル装置は、
前記遊技機本体に固定される基部と、
前記基部に固定され、前記ハンドル装置の前部を構成するカバー部と、
前記基部と前記カバー部との間に設けられ、遊技球の発射に際して回動操作されるとともに、その回動操作量に基づいて遊技球の発射速度を調整可能な操作部材と、
前記操作部材に設けられ、指を掛けた状態で前記操作部材を回動可能な指掛け部と
を備えており、
前記指掛け部は、
前記操作部材の外周から突出して設けられた第１指掛け部と、
前記第１指掛け部より前方において前記カバー部の表面よりも外側へ突出して設けられ、前記第１指掛け部と一体的に回動する第２指掛け部と
を備えていることを特徴とする。
【発明の効果】
【０００９】
本発明によれば、ハンドル操作を好適に行うことができる。
【図面の簡単な説明】
【００１０】
【図１】第１の実施形態におけるパチンコ機を示す正面図である。
【図２】パチンコ機の主要な構成を展開して示す斜視図である。
【図３】遊技盤の構成を示す正面図である。
【図４】（ａ）ハンドル装置を前方から見た斜視図、（ｂ）ハンドル装置を後方から見た斜視図である。
【図５】ハンドル装置を示す正面図である。
【図６】ハンドル装置を示す分解斜視図である。
【図７】図５のＡ−Ａ線部分における断面図である。
【図８】ハンドル装置を示す側面図である。
【図９】（ａ）通常程度の手の大きさである遊技者がハンドル装置を把持する場合の模式図、（ｂ）通常程度よりも手の小さい遊技者がハンドル装置を把持する場合の模式図である。
【図１０】パチンコ機の電気的構成を示すブロック図である。
【図１１】各種カウンタの内容を説明するための説明図である。
【図１２】第２の実施形態における（ａ）ハンドル装置を前方から見た斜視図、（ｂ）ハンドル装置を後方から見た斜視図である。
【図１３】ハンドル装置の構成を示す正面図である。
【図１４】第３の実施形態における（ａ）ハンドル装置を前方から見た斜視図、（ｂ）ハンドル装置を後方から見た斜視図である。
【図１５】ハンドル装置を示す正面図である。
【図１６】ハンドル装置を示す分解斜視図である。
【図１７】図１５のＢ−Ｂ線部分における断面図である。
【発明を実施するための形態】
【００１１】
＜第１の実施形態＞
以下、遊技機の一種であるパチンコ遊技機（以下、「パチンコ機」という）の第１の実施形態を、図面に基づいて詳細に説明する。図１はパチンコ機１０の正面図、図２はパチンコ機１０の主要な構成を展開して示す斜視図である。なお、図２では便宜上パチンコ機１０の遊技領域内の構成を省略している。
【００１２】
パチンコ機１０は、当該パチンコ機１０の外殻を形成する外枠１１と、この外枠１１に対して前方に回動可能に取り付けられた遊技機本体１２とを有する。外枠１１は木製の板材を四辺に連結し構成されるものであって矩形枠状をなしている。パチンコ機１０は、外枠１１を島設備に取り付け固定することにより、遊技ホールに設置される。
【００１３】
遊技機本体１２は、図２に示すように、ベース体としての内枠１３と、その内枠１３の前方に配置される前扉枠１４と、内枠１３の後方に配置される裏パックユニット１５とを備えている。遊技機本体１２のうち内枠１３が外枠１１に対して回動可能に支持されている。詳細には、正面視で左側を回動基端側とし右側を回動先端側として内枠１３が前方へ回動可能とされている。
【００１４】
内枠１３には、図２に示すように、前扉枠１４が回動可能に支持されており、正面視で左側を回動基端側とし右側を回動先端側として前方へ回動可能とされている。また、内枠１３には、裏パックユニット１５が回動可能に支持されており、正面視で左側を回動基端側とし右側を回動先端側として後方へ回動可能とされている。
【００１５】
内枠１３は、外形が外枠１１とほぼ同一形状をなす樹脂ベース２１を主体に構成されている。樹脂ベース２１の中央部には略楕円形状の窓孔２３が形成されている。樹脂ベース２１には遊技盤２４が着脱可能に取り付けられている。遊技盤２４は合板よりなり、遊技盤２４の前面に形成された遊技領域ＰＥが樹脂ベース２１の窓孔２３を通じて内枠１３の前面側に露出した状態となっている。
【００１６】
遊技盤２４の構成を図３に基づいて説明する。図３は遊技盤２４の正面図である。
【００１７】
遊技盤２４には、遊技領域ＰＥの外縁の一部を区画するようにして内レール部２５と外レール部２６とが取り付けられており、これら内レール部２５と外レール部２６とにより誘導手段としての誘導レールが構成されている。樹脂ベース２１において窓孔２３の下方に取り付けられた遊技球発射機構５１（図２参照）から発射された遊技球は誘導レールにより遊技領域ＰＥの上部に案内されるようになっている。
【００１８】
ちなみに、遊技球発射機構５１は、誘導レールに向けて延びる発射レール５３と、後述する上皿６５ａに貯留されている遊技球を発射レール５３上に供給する球送り装置５４と、発射レール５３上に供給された遊技球を誘導レールに向けて発射させる電動アクチュエータであるソレノイド５２と、を備えている。前扉枠１４の右側に設けられたハンドル装置７１が操作されることによりソレノイド５２が駆動制御され、遊技球が発射される。
【００１９】
遊技盤２４には、前後方向に貫通する大小複数の開口部が形成されている。各開口部には一般入賞口３１，可変入賞装置３２，上作動口３３，下作動口３４，スルーゲート３５及び可変表示ユニット３６等がそれぞれ設けられている。
【００２０】
一般入賞口３１、可変入賞装置３２及び両作動口３３，３４に遊技球が入ると、それが遊技盤２４の背面側に配設された検知センサ（図示略）により検知され、その検知結果に基づいて所定数の賞球の払い出しが実行される。当該賞球の個数について具体的には、上作動口３３への入球が発生した場合及び下作動口３４への入球が発生した場合には、３個の賞球の払い出しが実行され、一般入賞口３１への入球が発生した場合及び可変入賞装置３２への入球が発生した場合には、１０個の賞球の払い出しが実行される。
【００２１】
但し、これら賞球の個数は任意であり、例えば上作動口３３に係る賞球個数よりも下作動口３４に係る賞球個数が多いといったように、両作動口３３，３４の賞球個数が相違していてもよい。また、可変入賞装置３２に係る賞球個数が他の賞球個数に比べて多い構成としてもよい。
【００２２】
その他に、遊技盤２４の最下部にはアウト口３７が設けられており、各種入賞口等に入らなかった遊技球はアウト口３７を通って遊技領域ＰＥから排出される。また、遊技盤２４には、遊技球の落下方向を適宜分散、調整等するために多数の釘３８が植設されていると共に、風車等の各種部材（役物）が配設されている。
【００２３】
ここで、入球とは所定の開口部を遊技球が通過することを意味し、開口部を通過した後に遊技領域ＰＥから排出される態様だけでなく、開口部を通過した後に遊技領域ＰＥから排出されない態様も含まれる。但し、以下の説明では、アウト口３７への遊技球の入球と明確に区別するために、一般入賞口３１、可変入賞装置３２、上作動口３３、下作動口３４及びスルーゲート３５への遊技球の入球を、入賞とも表現する。
【００２４】
遊技領域ＰＥの中央部を含むようにして可変表示ユニット３６が設けられている。当該可変表示ユニット３６の周縁部が遊技盤２４の表面よりもパチンコ機１０前方に突出していることに起因して、遊技球が流下可能な領域が複数に区画されている。
【００２５】
具体的には、遊技領域ＰＥにおいて可変表示ユニット３６の所定の高さ位置よりも上方の領域である上側領域ＰＥ１と、当該上側領域ＰＥ１に対してその下方にて連続し可変表示ユニット３６よりも左方の領域である左側領域ＰＥ２と、上側領域ＰＥ１に対してその下方にて連続し可変表示ユニット３６よりも右方の領域である右側領域ＰＥ３と、左側領域ＰＥ２及び右側領域ＰＥ３のそれぞれに対してその下方にて連続し可変表示ユニット３６よりも下方の領域である下側領域ＰＥ４と、に区画されている。
【００２６】
遊技者が第１発射操作として所定回動量以上であって基準回動量未満である第１範囲の回動操作量で、ハンドル装置７１における操作ハンドル７４の回動操作を行うことで、上側領域ＰＥ１において横方向の中央位置よりも左方にて遊技球が流下し出す。この場合、遊技球は上側領域ＰＥ１→左側領域ＰＥ２→下側領域ＰＥ４の順で流下することとなる。その一方、遊技者が第２発射操作として基準回動量以上である第２範囲の回動操作量で操作ハンドル７４の回動操作を行うことで、上側領域ＰＥ１において横方向の中央位置よりも右方にて遊技球が流下し出す。この場合、遊技球は上側領域ＰＥ１→右側領域ＰＥ３→下側領域ＰＥ４の順で流下することとなる。つまり、遊技者は操作ハンドル７４の回動操作量を調整することで、左側領域ＰＥ２及び右側領域ＰＥ３のうち左側領域ＰＥ２を遊技球が流下するように遊技を行うことができるとともに、右側領域ＰＥ３を遊技球が流下するように遊技を行うことができる。
【００２７】
なお、基準回動量というのは、左側領域ＰＥ２を遊技球が流下する割合と、右側領域ＰＥ３を遊技球が流下する割合とが同一となる回動量のことであり、第１範囲の回動操作量では、左側領域ＰＥ２を遊技球が流下する割合が高くなり、第２範囲の回動操作量では、右側領域ＰＥ３を遊技球が流下する割合が高くなる。したがって、第１範囲の回動操作量において基準回動量に近い回動操作量では、右側領域ＰＥ３を遊技球が流下する可能性があり、第２範囲の回動操作量において基準回動量に近い回動操作量では、左側領域ＰＥ２を遊技球が流下する可能性がある。
【００２８】
ちなみに、外レール部２６の右上部分には、当該外レール部２６よりも内側に位置する部材であって外レール部２６に沿って（接触しながら）進行してきた遊技球が衝突してその進行方向を変化させるためのストッパとして返しゴム２６ａが設けられている。最大の発射強度となるようにハンドル装置７１が操作されている場合には、遊技球は返しゴム２６ａに衝突した後に、右側領域ＰＥ３を流下することとなる。
【００２９】
上作動口３３及び下作動口３４は、作動口装置としてユニット化されて遊技盤２４に設置されている。上作動口３３及び下作動口３４は共に上向きに開放されている。また、上作動口３３が上方となるようにして両作動口３３，３４は鉛直方向に並んでいる。
【００３０】
上作動口３３には、開閉する部材は設けられていない。そして、同一の態様で遊技球が発射されている状況では（すなわち一定の発射強度となる場合、又は発射操作の態様が同一である場合）、遊技状態に依存することなく上作動口３３への入賞確率は一定となっている。下作動口３４には、左右一対の可動片よりなるガイド片としての普電役物３４ａが設けられている。普電役物３４ａは遊技盤２４の背面側に搭載された役物駆動部（図示略）に連結されており、当該役物駆動部により駆動されて閉鎖状態及び開放状態のいずれかに配置される。普電役物３４ａの閉鎖状態では遊技球が下作動口３４に入賞できず、普電役物３４ａが開放状態となることで下作動口３４への入賞が可能となる。
【００３１】
上作動口３３及び下作動口３４は、遊技盤２４の下側領域ＰＥ４に設置されている。この場合、上作動口３３は可変表示ユニット３６に形成されたステージ３６ａの真下に配置されており、可変表示ユニット３６に形成された誘導通路（図示略）を介してステージ３６ａ上に流入した遊技球であってステージ３６ａの中央から可変表示ユニット３６外に排出される遊技球は上作動口３３に入賞し易くなっている。
【００３２】
ちなみに、ステージ３６ａへの遊技球の誘導を可能とする誘導通路の入口部は、可変表示ユニット３６において上側領域ＰＥ１と左側領域ＰＥ２との境界部分に対応した位置（図３における普図保留表示部４６の上方の位置）に形成されており、それ以外の場所には形成されていない。
【００３３】
上記のように上作動口３３及び下作動口３４が下側領域ＰＥ４に設けられていることにより、左側領域ＰＥ２を遊技球が流下するようにハンドル装置７１が操作されている場合、及び右側領域ＰＥ３を遊技球が流下するようにハンドル装置７１が操作されている場合のいずれにおいても、上作動口３３及び下作動口３４への入賞が可能である。但し、ステージ３６ａへの誘導通路の入口部が左側領域ＰＥ２に対して設けられており、右側領域ＰＥ３に対して設けられていないことにより、左側領域ＰＥ２を流下した方が右側領域ＰＥ３を流下する場合に比べて上作動口３３及び下作動口３４への入賞が発生し易い。また、左側領域ＰＥ２及び右側領域ＰＥ３における遊技部品や釘３８の配列も、左側領域ＰＥ２を流下した方が右側領域ＰＥ３を流下する場合に比べて上作動口３３及び下作動口３４への入賞が発生し易いように設定されている。
【００３４】
なお、これに限定されることはなく、左側領域ＰＥ２を流下した遊技球のみが上作動口３３及び下作動口３４への入賞が可能となる構成としてもよい。
【００３５】
左側領域ＰＥ２及び右側領域ＰＥ３のそれぞれには、スルーゲート３５が設けられている。スルーゲート３５は縦方向に貫通した図示しない貫通孔を有しており、スルーゲート３５に入賞した遊技球は入賞後に遊技領域ＰＥを流下する。スルーゲート３５への入賞に基づき下作動口３４の普電役物３４ａが閉鎖状態から開放状態に切り換えられる。具体的には、スルーゲート３５への入賞をトリガとして内部抽選が行われるとともに、可変表示ユニット３６に設けられた普図表示部４４にて絵柄の変動表示が行われる。そして、内部抽選の結果がサポート当選であり当該結果に対応した停止結果が表示されて変動表示が終了された場合にサポート実行モードへ移行する。サポート実行モードでは、普電役物３４ａが所定の態様で開放状態となる。
【００３６】
なお、可変表示ユニット３６には、普図保留表示部４６が設けられている。遊技球がスルーゲート３５に入賞した個数は最大４個まで保留され、普図保留表示部４６の点灯によってその保留個数が表示されるようになっている。
【００３７】
上作動口３３又は下作動口３４への入賞をトリガとして大当たり抽選が行われる。そして、当該抽選の結果は特図表示部４３及び可変表示ユニット３６の図柄表示装置４１における表示演出を通じて明示される。
【００３８】
特図表示部４３について詳細には、特図表示部４３では、上作動口３３又は下作動口３４への入賞をトリガとして大当たり抽選が行われることで絵柄の変動表示又は所定の表示が行われる。そして、抽選結果に対応した結果が表示される。
【００３９】
図柄表示装置４１について詳細には、図柄表示装置４１は、液晶ディスプレイを備えた液晶表示装置として構成されており、後述する表示制御装置１７２により表示内容が制御される。なお、図柄表示装置４１は、液晶表示装置に限定されることはなく、プラズマディスプレイ装置、有機ＥＬ表示装置又はＣＲＴといった表示画面を有する他の表示装置であってもよく、ドットマトリクス表示器であってもよい。
【００４０】
図柄表示装置４１では、上作動口３３又は下作動口３４への入賞に基づき特図表示部４３にて絵柄の変動表示又は所定の表示が行われる場合にそれに合わせて図柄の変動表示又は所定の表示が行われる。なお、図柄表示装置４１では、上作動口３３又は下作動口３４への入賞をトリガとした表示演出だけでなく、大当たり当選となった後に移行する開閉実行モード中の表示演出などが行われる。
【００４１】
上作動口３３又は下作動口３４への入賞に基づき行われた大当たり抽選にて当選となった場合には、特図表示部４３における絵柄の変動表示の終了に際して及び図柄表示装置４１における図柄の変動表示の終了に際して、それぞれ特定の結果が表示される。
【００４２】
なお、可変表示ユニット３６には、特図保留表示部４５が設けられている。遊技球が上作動口３３又は下作動口３４に入賞した個数は最大４個まで保留され、特図保留表示部４５の点灯によってその保留個数が表示されるようになっている。
【００４３】
上作動口３３又は下作動口３４への入賞に基づく大当たり抽選にて当選となった場合には可変入賞装置３２への入賞が可能となる開閉実行モードへ移行する。詳細には、可変入賞装置３２は、通常は遊技球が入賞できない又は入賞しがたい閉状態になっており、内部抽選において開閉実行モードへの移行に当選した場合に遊技球が入賞しやすい所定の開放状態に切り換えられるようになっている。開閉実行モードにおける可変入賞装置３２の開放態様としては、所定時間（例えば３０秒間）の経過又は所定個数（例えば１０個）の入賞を１ラウンドとして、複数ラウンド（例えば１５ラウンド）を上限として可変入賞装置３２が繰り返し開放されるものが一般的である。
【００４４】
可変入賞装置３２は、下側領域ＰＥ４において下作動口３４の下方の位置に設けられている。つまり、可変入賞装置３２は左側領域ＰＥ２を遊技球が流下するようにハンドル装置７１が操作されている場合及び右側領域ＰＥ３を遊技球が流下するようにハンドル装置７１が操作されている場合のいずれにおいても入賞可能となっている。但し、釘３８の配置態様や、他の部材との相対位置との関係から、右側領域ＰＥ３を遊技球が流下するようにハンドル装置７１が操作されている場合の方が、左側領域ＰＥ２を遊技球が流下するようにハンドル装置７１が操作されている場合よりも、可変入賞装置３２への入賞が発生し易い構成となっている。したがって、遊技者は、開閉実行モードに移行した場合、右側領域ＰＥ３を遊技球が流下するようにハンドル装置７１を操作することとなる。
【００４５】
なお、これに限定されることはなく、右側領域ＰＥ３を流下した遊技球のみが可変入賞装置３２への入賞が可能となる構成としてもよい。
【００４６】
上記遊技盤２４を有する内枠１３の前面側全体を覆うようにして、前扉枠１４が設けられている。前扉枠１４には、図１に示すように、遊技領域ＰＥのほぼ全域を前方から視認することができるようにした窓部６１が形成されている。窓部６１は、略楕円形状をなし、透明性を有する窓パネル６２が嵌め込まれている。窓部６１の周囲には、各種ランプ等の発光手段が設けられている。当該各種ランプの一部として表示ランプ部６３が窓部６１の上方に設けられている。また、表示ランプ部６３の左右両側には、遊技状態に応じた効果音などが出力されるスピーカ部６４が設けられている。
【００４７】
前扉枠１４における窓部６１の下方には、手前側へ膨出した上側膨出部６５と下側膨出部６６とが上下に並設されている。上側膨出部６５内側には上方に開口した上皿６５ａが設けられており、下側膨出部６６内側には同じく上方に開口した下皿６６ａが設けられている。上皿６５ａは、後述する払出装置１７３より払い出された遊技球を一旦貯留し、一列に整列させながら遊技球発射機構５１側へ導くための機能を有する。また、下皿６６ａは、上皿６５ａ内にて余剰となった遊技球を貯留する機能を有する。上皿６５ａ及び下皿６６ａには、裏パックユニット１５の払出装置１７３から払い出された遊技球が排出される。
【００４８】
下側膨出部６６の右方には、手前側へ突出するようにしてハンドル装置７１が設けられている。このハンドル装置７１が設けられた位置について詳細には、窓部６１よりも下方であるとともに、上皿６５ａよりも下方の位置であり、さらには遊技機本体１２の回動先端側となる一方の側部に近い位置にハンドル装置７１が配置されている。遊技機本体１２の前面を正面視で見た場合で言えば、右下の隅角部分の位置である。ハンドル装置７１が操作されることにより、遊技球発射機構５１から遊技球が発射される。
【００４９】
＜ハンドル装置７１＞
ハンドル装置７１の構成について詳細に説明する。図４（ａ）はハンドル装置７１の前方から見た斜視図、図４（ｂ）はハンドル装置７１の後方から見た斜視図、図５はハンドル装置７１の正面図、図６はハンドル装置７１の前方から見た分解斜視図、図７は図５のＡ−Ａ線部分における断面図である。
【００５０】
ハンドル装置７１は、図４（ａ），（ｂ）、図５に示すように、前扉枠１４に固定される基部７２と、ハンドル装置７１の前面側を構成する前面ユニット７３と、基部７２及び前面ユニット７３の間に設けられ、遊技球の発射に際して回動操作（回転操作）される操作ハンドル７４とを備えている。
【００５１】
図６、図７に示すように、基部７２は、略円筒状に形成されており、基部７２の手前側は、その内径及び外径が共に、基部７２の奥側における内径及び外径よりも拡径されている（以下、この拡径された領域を拡径領域７５という）。また、基部７２には、拡径領域７５の中心線と同一直線上に軸孔部７６が一体形成されている。軸孔部７６には、ハンドル用軸部材７７が上記中心線を軸線として回動可能に支持されており、このハンドル用軸部材７７の中間位置に形成された固定用環部７７ａに固定させて操作ハンドル７４が設けられている。
【００５２】
操作ハンドル７４は、ハンドル内側環部１１１と、ハンドル外側環部１１２とが同心円となるように一体形成された内外二重の環状となっている。ハンドル内側環部１１１の中央において操作ハンドル７４の軸線方向に貫通したハンドル側軸孔部１１３に対して、上記ハンドル用軸部材７７における固定用環部７７ａよりも前側の円柱部７７ｂが挿通されている。つまり、操作ハンドル７４の軸線は拡径領域７５の上記中心線に対して同一直線上となるように配置されている。
【００５３】
操作ハンドル７４は、上記軸線を中心として回動可能となっているが、その回動範囲は所定の範囲となるように規制されている。具体的には、基部７２において拡径領域７５よりも前方へと突出するように一体形成された複数のボス７９ａ，７９ｂ，７９ｃが設けられている。ボス７９ａ〜７９ｃは拡径領域７５の中心線方向における前方に向けて延びており、当該ボス７９ａ〜７９ｃは操作ハンドル７４のハンドル内側環部１１１とハンドル外側環部１１２との間に形成された一対のガイド孔１１４ａ，１１４ｂを後方から前方へと貫通している。
【００５４】
これらガイド孔１１４ａ，１１４ｂは、ハンドル内側環部１１１とハンドル外側環部１１２との間を連結するように１８０°間隔で形成された一対の連結部により区画されていることで形成されている。ガイド孔１１４ａ，１１４ｂを区画する周面のうち、操作ハンドル７４の径方向の内側及び外側のそれぞれを規定するハンドル内側環部１１１の外周面とハンドル外側環部１１２の内周面とは、操作ハンドル７４の軸線周りに一定の曲率の曲面となっている。また、これら外周面及び内周面は、少なくともガイド孔１１４ａ，１１４ｂ内側への段差が形成されておらず、さらにはガイド孔１１４ａ，１１４ｂ外側への凹みも形成されていない。
【００５５】
パチンコ機１０の正面視において操作ハンドル７４の時計周り方向の回動が、ガイド孔１１４ａとボス７９ａとの当接により所定の回動位置にて規制されるとともに、反時計周り方向の回動が、ガイド孔１１４ｂとボス７９ｂとの当接により所定の回動位置にて規制される。そして、操作ハンドル７４に対して、上記所定の回動位置のうち後者の側である初期回動位置に付勢する付勢手段としてハンドル用バネ８６が設けられており、操作ハンドル７４は反時計周り方向にハンドル用バネ８６により常時付勢されている。付勢力に抗する力が付与されていない場合には、上記各所定の回動位置のうち後者の側である初期回動位置に配置される。なお、ハンドル用の付勢手段は、操作ハンドル７４を初期回動位置に向けて付勢できるのであれば具体的な構成は任意である。
【００５６】
一方、ハンドル外側環部１１２の外周面には、径方向へ突出させて正面視の左側から順に第１奥側指掛け部１１５ａ、第２奥側指掛け部１１５ｂ及び第３奥側指掛け部１１５ｃがそれぞれ一体形成されている。指掛けの一例を説明すると、図５の二点鎖線部分により例示するように、第１奥側指掛け部１１５ａの左方に親指Ｆ１、第２奥側指掛け部１１５ｂの左方に人差し指Ｆ２及び第３奥側指掛け部１１５ｃの左方に中指Ｆ３を掛け、薬指Ｆ４及び小指Ｆ５を例えば第３奥側指掛け部１１５ｃより右方の位置に配置することで、操作ハンドル７４を時計回り方向に回動することができる。操作ハンドル７４を時計回りに回動することにより上記ソレノイド５２が駆動制御され、遊技球が遊技領域ＰＥに発射される。
【００５７】
各奥側指掛け部１１５ａ〜１１５ｃのそれぞれ前方には、正面視の左側から順に第１手前側指掛け部１１６ａ、第２手前側指掛け部１１６ｂ及び第３手前側指掛け部１１６ｃが設けられている。各奥側指掛け部１１５ａ〜１１５ｃのそれぞれ背面側には、前方に凹となる奥側指掛け凹部１１７が形成されており、それら奥側指掛け凹部１１７の正面側には、各手前側指掛け部１１６ａ〜１１６ｃを連結するために連結部１１８ａが形成されている。連結部１１８ａは操作ハンドル７４の軸線に直交する平面に対して平行な平面である。一方、各手前側指掛け部１１６ａ〜１１６ｃは、操作ハンドル７４の軸線側に開口しかつ当該軸線から離れる側に凹となる手前側指掛け凹部１１９がそれぞれ形成されている。それら手前側指掛け凹部１１９を形成する区画壁のうち後方側の区画壁には、その背面側に連結部１１８ａを連結するための連結部１１８ｂが形成されている。連結部１１８ｂは操作ハンドル７４の軸線に直交する平面に対して平行な平面である。連結部１１８ａには貫通孔１２０が形成され、連結部１１８ｂにはネジ孔１２１が形成されている。貫通孔１２０及びネジ孔１２１は各奥側指掛け部１１５ａ〜１１５ｃの後方からネジ１２２により締結されることで、各奥側指掛け部１１５ａ〜１１５ｃと各手前側指掛け部１１６ａ〜１１６ｃとがそれぞれ固定されている。なお、連結部１１８ａ，１１８ｂはネジ１２２により締結される構造ではなく、例えば、互いを嵌め合わせる構造としてもよい。
【００５８】
連結状態では、各奥側指掛け部１１５ａ〜１１５ｃの外表面と各手前側指掛け部１１６ａ〜１１６ｃの外表面との境界部分は滑らかに連続している。より詳細には、操作ハンドル７４からの連結部１１８ａの突出量と操作ハンドル７４からの連結部１１８ｂの突出量とが同一の突出量となっており、指掛けをする場合に、境界部分には段差等の指が引っ掛かる部分がないように形成されている。
【００５９】
操作ハンドル７４の基部７２からの抜けを防止するようにして、当該操作ハンドル７４の前方を覆うように前面ユニット７３が設けられている。前面ユニット７３は、合成樹脂により形成された前側カバー部１２３及び後側カバー部１２４を備えており、両カバー部１２３，１２４の外表面は同一仮想球面上に形成され、全体としてその表面が前方に向けて滑らかな凸形となる球面状に形成されている。前側カバー部１２３と後側カバー部１２４との間には、操作ハンドル７４と一体的に回動する回動リング１２５が設けられている。具体的には、回動リング１２５の外周面であるリング外側環部１２６は、各手前側指掛け部１１６ａ〜１１６ｃの先端側にて繋がっており、各手前側指掛け部１１６ａ〜１１６ｃの前端側とリング外側環部１２６とが一体形成されている。これにより、回動リング１２５は、各手前側指掛け部１１６ａ〜１１６ｃ及び各奥側指掛け部１１５ａ〜１１５ｃを介して、操作ハンドル７４と一体的に回動する構造となっており、前側カバー部１２３の中心線及び後側カバー部１２４の中心線と、回動リング１２５の軸線及び操作ハンドル７４の軸線とは全て同一直線上となるように配置されている。
【００６０】
操作ハンドル７４、回動リング１２５、各奥側指掛け部１１５ａ〜１１５ｃ及び各手前側指掛け部１１６ａ〜１１６ｃは、合成樹脂により形成されており、それらの外表面全体に金属膜がメッキされている。なお、それらの外表面全体に金属膜がメッキされているのではなく、操作ハンドル７４の回動操作に際して触れられる外表面と後述する電極１８２が設けられる位置とに亘って金属膜がメッキされている構成としてもよく、操作ハンドル７４、回動リング１２５、各奥側指掛け部１１５ａ〜１１５ｃ及び各手前側指掛け部１１６ａ〜１１６ｃを金属製としてもよい。
【００６１】
回動リング１２５に対する前側カバー部１２３と後側カバー部１２４との固定構造について説明する。前側カバー部１２３の背面において、前側カバー部１２３の中心線を囲むように複数のボス１３４ａ，１３４ｂ，１３４ｃが後方に突出して設けられている。後側カバー部１２４の前方には、ボス１３４ａ〜１３４ｃを取り付けるための取付部１３５が形成されている。当該取付部１３５には、ボス１３４ａ〜１３４ｃと同数の貫通孔１３６ａ，１３６ｂ，１３６ｃが形成されている。これらボス１３４ａ〜１３４ｃは、回動リング１２５の内周側を通過し、後側カバー部１２４の背面側から貫通孔１３６ａ〜１３６ｃを通されたネジ１３８によりそれぞれ締結されている。これにより、前側カバー部１２３と後側カバー部１２４とは、回動リング１２５を挟むようにして固定されている。なお、ボス１３４ａ〜１３４ｃ及び貫通孔１３６ａ〜１３６ｃは少なくとも１組あればよく、その組数は任意である。
【００６２】
回動リング１２５のリング外側環部１２６はその前側が前側カバー部１２３と前後に対向しているだけでなく、その後側が後側カバー部１２４と前後に対向している。前側カバー部１２３の後方には、その後端側を前側カバー部１２３の中心線に向けて絞るようにして第１環状段差部１４１が形成されており、当該第１環状段差部１４１よりも後端側には中心線周りに円環状となった第１カバー環部１４２を備えている。第１カバー環部１４２が、回動リング１２５のリング外側環部１２６の内周側に入り込んでいる。また、第１環状段差部１４１は後方を向いており、リング外側環部１２６の前側端面と隙間を隔てて対向している。その隙間は１円硬貨，１０円硬貨等の各種硬貨や、遊技ホールにおいてパチンコ機１０とともに設置されるスロットマシン用の遊技メダルが差し込むことが不可又は困難となる隙間であり、本実施形態における当該隙間の前後幅及び深さは０．５ｍｍ以下となっている。
【００６３】
遊技者が回動リング１２５を回動する場合に、リング外側環部１２６の前側端面と第１環状段差部１４１とが擦れることがあり、回動リング１２５を回動させにくくなる状態が想定される。しかし、当該隙間により、リング外側環部１２６と第１環状段差部１４１とが擦れることを抑制している。
【００６４】
一方、後側カバー部１２４の前方には、その前端側を後側カバー部１２４の中心線に向けて絞るようにして第２環状段差部１４３が形成されており、当該第２環状段差部１４３よりも前端側には中心線周りに円環状となった第２カバー環部１４４を備えている。第２カバー環部１４４が、回動リング１２５のリング外側環部１２６の内周側に入り込んでいる。また、第２環状段差部１４３は前方を向いており、リング外側環部１２６の後側端面と隙間を隔てて対向している。その隙間は１円硬貨，１０円硬貨等の各種硬貨や、遊技ホールにおいてパチンコ機１０とともに設置されるスロットマシン用の遊技メダルが差し込むことが不可又は困難となる隙間であり、本実施形態における当該隙間の前後幅及び深さは０．５ｍｍ以下となっている。
【００６５】
遊技者が回動リング１２５を回動する場合に、リング外側環部１２６の後側端面と第２環状段差部１４３とが擦れることがあり、回動リング１２５を回動させにくくなる状態が想定される。しかし、当該隙間により、リング外側環部１２６と第２環状段差部１４３とが擦れることを抑制している。
【００６６】
仮に、製造ばらつきや上記硬貨等を差し込もうとする過程において、リング外側環部１２６が前側カバー部１２３側及び後側カバー部１２４側のいずれか一方に偏った場合に、他方の隙間が広がった状態となる。これに対して、一方に偏った場合の他方の隙間は、上記硬貨やコインのうち最も厚みが薄い１円硬貨の１．５ｍｍよりも狭くするとよく、本実施形態では１．０ｍｍ以下となるようにするのが好ましい。
【００６７】
上記のように後側カバー部１２４は、基部７２の後側から挿入された図示しないネジにより上記ボス７９ａ〜７９ｃに対して締結されている。これにより、前面ユニット７３と基部７２とは操作ハンドル７４を挟むように固定されている。この場合、後側カバー部１２４の後方には、その後端側を後側カバー部１２４の中心線に向けて絞るようにして第３環状段差部１４５が形成されており、当該第３環状段差部１４５よりも後端側には中心線周りに円環状となった第３カバー環部１４６を備えている。第３カバー環部１４６が、操作ハンドル７４のハンドル外側環部１１２の内周側に入り込んでいる。また、第３環状段差部１４５は後方へ延びており、ハンドル外側環部１１２の前側端面と隙間を隔てて対向している。その隙間は１円硬貨，１０円硬貨等の各種硬貨や、遊技ホールにおいてパチンコ機１０とともに設置されるスロットマシン用の遊技メダルが差し込むことが不可又は困難となる隙間であり、本実施形態における当該隙間の前後幅及び深さは０．５ｍｍ以下となっている。
【００６８】
遊技者が操作ハンドル７４を回動する場合に、ハンドル外側環部１１２の前側端面と第３環状段差部１４５とが擦れることがあり、操作ハンドル７４を回動させにくくなる状態が想定される。しかし、当該隙間により、ハンドル外側環部１１２と第３環状段差部１４５とが擦れることを抑制している。
【００６９】
操作ハンドル７４のハンドル外側環部１１２はその前側が後側カバー部１２４と前後に対向しているだけでなく、その後側が基部７２と前後に対向している。詳細には、基部７２は既に説明したとおり拡径領域７５を備えているが、当該拡径領域７５を規定する周壁部には、その前端側を拡径領域７５の中心線に向けて絞るようにして第４環状段差部１４７が形成されており、当該第４環状段差部１４７よりも前端側には中心線周りに円環状となった基部側環部１４８を備えている。基部側環部１４８が、操作ハンドル７４のハンドル外側環部１１２の内周側に入り込んでいる。また、第４環状段差部１４７は前方を向いており、ハンドル外側環部１１２の後側端面と隙間を隔てて対向している。その隙間は１円硬貨，１０円硬貨等の各種硬貨や、遊技ホールにおいてパチンコ機１０とともに設置されるスロットマシン用の遊技メダルが差し込むことが不可又は困難となる隙間であり、本実施形態における当該隙間の前後幅及び深さは０．５ｍｍ以下となっている。
【００７０】
遊技者が操作ハンドル７４を回動する場合に、ハンドル外側環部１１２の後側端面と第４環状段差部１４７とが擦れることがあり、操作ハンドル７４を回動させにくくなる状態が想定される。しかし、当該隙間により、ハンドル外側環部１１２と第４環状段差部１４７とが擦れることを抑制している。
【００７１】
仮に、製造ばらつきや上記硬貨等を差し込もうとする過程において、ハンドル外側環部１１２が後側カバー部１２４側及び基部７２側のいずれか一方に偏った場合に、他方の隙間が広がった状態となる。これに対して、一方に偏った場合の他方の隙間は、上記硬貨やコインのうち最も厚みが薄い１円硬貨の１．５ｍｍよりも狭くするとよく、本実施形態では１．０ｍｍ以下となるようにするのが好ましい。
【００７２】
各奥側指掛け部１１５ａ〜１１５ｃと各手前側指掛け部１１６ａ〜１１６ｃとが固定されており、各手前側指掛け部１１６ａ〜１１６ｃのそれぞれは回動リング１２５のリング外側環部１２６と一体形成されている。つまり、各手前側指掛け部１１６ａ〜１１６ｃは、各奥側指掛け部１１５ａ〜１１５ｃと回動リング１２５とともに回動可能とされるとともに、後側カバー部１２４の表面と各手前側指掛け部１１６ａ〜１１６ｃと隙間を隔てて対向している。それら隙間は１円硬貨，１０円硬貨等の各種硬貨や、遊技ホールにおいてパチンコ機１０とともに設置されるスロットマシン用の遊技メダルが差し込むことが不可又は困難となる隙間であり、本実施形態における当該隙間は０．５ｍｍ以下となっている。それら隙間は後側カバー部１２４の表面に沿っていることから所定の曲率を有した隙間となっており、上記各種硬貨や、遊技メダルは略平板状であるため、これら曲率を有した隙間に差し込むことが困難となっている。
【００７３】
遊技者が操作ハンドル７４及び回動リング１２５を回動する場合に、各手前側指掛け部１１６ａ〜１１６ｃと後側カバー部１２４の外表面とが擦れることがあり、操作ハンドル７４及び回動リング１２５を回動させにくくなる状態が想定される。しかし、これら隙間により、各手前側指掛け部１１６ａ〜１１６ｃと後側カバー部１２４の外表面とが擦れることを抑制している。
【００７４】
ここで、操作ハンドル７４は、遊技球発射機構５１からの遊技球の発射を行わせるべく、ハンドル用バネ８６の付勢力に抗する方向に回動操作されるが、ハンドル用バネ８６により初期回動位置に向けて付勢されているため、操作ハンドル７４を所定の回動位置に手動操作している状態を解除すると、操作ハンドル７４は初期回動位置に自ずと復帰する。当該構成の場合、前述したそれら隙間にコインや硬貨を差し込み、操作ハンドル７４を無理に仮固定しようとする行為が想定される。
【００７５】
これに対して、それら隙間にコインや硬貨を差し込むことは、不可又は困難となっている。したがって、上記のような仮固定を行うことが阻止され、かかる仮固定に起因したハンドル装置７１の破損等の発生を抑制することができる。
【００７６】
図８はハンドル装置７１の側面図であり、各手前側指掛け部１１６ａ〜１１６ｃは図８に示すように回動リング１２５から突出するように設けられている。各手前側指掛け部１１６ａ〜１１６ｃにおけるリング外側環部１２６からの突出量Ｘ１は、各奥側指掛け部１１５ａ〜１１５ｃにおけるハンドル外側環部１１２の突出量Ｘ２よりも小さく、突出量Ｘ１は前方となるほど小さくなっている。遊技者が手前側から各奥側指掛け部１１５ａ〜１１５ｃに指を掛けた状態で、ハンドル装置７１を把持しようとする場合には、指以外の手のひら等が各手前側指掛け部１１６ａ〜１１６ｃに接触しにくくなっている。一方、通常程度よりも手の小さい遊技者が各手前側指掛け部１１６ａ〜１１６ｃに指を掛けようとする場合には、各手前側指掛け部１１６ａ〜１１６ｃが後側カバー部１２４の表面より外側に突出しているため、通常程度よりも手の小さい遊技者が各手前側指掛け部１１６ａ〜１１６ｃ指を掛けることが可能となる。
【００７７】
本実施形態におけるハンドル装置７１に対する指掛けの一例について説明する。図９（ａ）は通常程度の手の大きさである遊技者がハンドル装置７１を把持する場合の模式図、図９（ｂ）通常程度よりも手の小さい遊技者がハンドル装置７１を把持する場合の模式図である。
【００７８】
図９（ａ）に示すように、通常程度の手の大きさである遊技者がハンドル装置７１の手前側から把持する場合には、操作ハンドル７４のハンドル外側環部１１２に形成された各奥側指掛け部１１５ａ〜１１５ｃに指を掛けた状態で、ハンドル装置７１を把持する。一方で、図９（ｂ）に示すように、通常程度よりも手の小さい遊技者がハンドル装置７１の手前側から把持する場合には、各手前側指掛け部１１６ａ〜１１６ｃに指を掛けた状態で、ハンドル装置７１を把持する。
【００７９】
次に、操作ハンドル７４の回動操作量を後述する電源及び発射制御装置１７５において把握するため、図６、図７を用いて説明する。基部７２には、ギア部品１５１ａ，１５１ｂが設けられている。ギア部品１５１ａ，１５１ｂは基部７２に内蔵されている可変抵抗器１５５と接続されており、ギア部品１５１ａ，１５１ｂの回転に応じて可変抵抗器１５５の抵抗値が変化し、その抵抗値に応じた信号が電源及び発射制御装置１７５にて受けられる。そして、操作ハンドル７４の回動操作量に応じた発射強度で遊技球が発射されるように、当該電源及び発射制御装置１７５により遊技球発射機構５１の駆動制御が実行される。
【００８０】
基部７２には、操作ハンドル７４を回動操作した状態において遊技球の発射を停止させるために操作される発射止めスイッチ１５６と、発射止めスイッチ１５６が操作されていることを検知するプッシュセンサ１５７とが設けられている。プッシュセンサ１５７の検知信号が電源及び発射制御装置１７５に出力されることで、当該電源及び発射制御装置１７５にて発射止めスイッチ１５６が操作されているか否かが把握される。そして、発射止めスイッチ１５６が操作されている場合には、操作ハンドル７４の回動操作量に関係なく、電源及び発射制御装置１７５による遊技球発射機構５１の駆動制御が停止される。
【００８１】
この場合に、操作ハンドル７４にはその背面側に、図示しない操作片が一体形成されており、操作ハンドル７４が初期回動位置に配置されている状況では、当該操作片により発射止めスイッチ１５６が押圧される構成となっている。これにより、操作ハンドル７４が初期回動位置に配置されている状況、すなわち操作ハンドル７４が回動操作されていない状況では、プッシュセンサ１５７がＯＮとなり、遊技球の発射が停止される。
【００８２】
基部７２には、操作ハンドル７４を遊技者が触れていることを検知するためのハンドル用タッチセンサ１５８が設けられている。ハンドル用タッチセンサ１５８の検知信号が電源及び発射制御装置１７５に出力されることで、当該電源及び発射制御装置１７５にて操作ハンドル７４及び回動リング１２５の少なくとも一部が遊技者に触れられているか否かが把握される。そして、操作ハンドル７４が遊技者に触れられていない場合には、操作ハンドル７４の回動操作量に関係なく、電源及び発射制御装置１７５による遊技球発射機構５１の駆動制御が停止される。
【００８３】
次に、ハンドル装置７１への手動操作に応じて遊技球を発射させるための電気的構成について、図１０のブロック図に基づいて説明する。
【００８４】
遊技球の発射に係る電気的構成の説明に先立ち、先ずパチンコ機１０において遊技を進行させる制御を行うための電気的な構成を説明する。
【００８５】
内枠１３の背面側には、主制御装置１６１と、音声ランプ制御装置１７１と、表示制御装置１７２とが搭載されている。また、裏パックユニット１５には、払出装置１７３を含む払出機構部と、払出制御装置１７４と、電源及び発射制御装置１７５とが搭載されている。
【００８６】
主制御装置１６１は、遊技の主たる制御を司る主制御基板１６２を具備している。主制御基板１６２は、電源及び発射制御装置１７５の電源及び発射制御基板１７６に設けられた電源部（図示略）と接続されている。電源部は、例えば、遊技場等における商用電源（外部電源）に接続されている。そして、その商用電源から供給される外部電力に基づいて主制御基板１６２に対して各々に必要な動作電力を生成するとともに、その生成した動作電力を供給する。ちなみに、当該動作電力は主制御基板１６２だけでなく、払出制御装置１７４や表示制御装置１７２といった他の機器にも供給される。
【００８７】
なお、主制御装置１６１には図示しない停電監視基板が設けられており、当該停電監視基板において停電の発生が確認された場合には主制御基板１６２に対して停電信号が送信されるようになっている。
【００８８】
主制御基板１６２には、ＭＰＵ１６３が搭載されている。ＭＰＵ１６３には、当該ＭＰＵ１６３により実行される各種の制御プログラムや固定値データを記憶したＲＯＭ１６４と、そのＲＯＭ１６４内に記憶される制御プログラムの実行に際して各種のデータ等を一時的に記憶するためのメモリであるＲＡＭ１６５と、割込回路、タイマ回路、データ入出力回路、乱数発生器としての各種カウンタ回路などが内蔵されている。
【００８９】
ＭＰＵ１６３には、入力ポート及び出力ポートがそれぞれ設けられている。ＭＰＵ１６３の入力側には、図示しない各種センサが接続されている。当該各種センサの一部として、一般入賞口３１、可変入賞装置３２、上作動口３３、下作動口３４及びスルーゲート３５といった入賞対応入球部に対して１対１で設けられた検知センサが含まれており、ＭＰＵ１６３において各入球部への入賞判定（入球判定）が行われる。また、ＭＰＵ１６３では上作動口３３及び下作動口３４への入賞に基づいて大当たり発生抽選及び大当たり結果種別抽選を実行するとともに、各遊技回のリーチ発生抽選や表示継続期間の決定抽選を実行する。
【００９０】
ここで、ＭＰＵ１６３にて各種抽選を行うための構成について説明する。
【００９１】
ＭＰＵ１６３は遊技に際し各種カウンタ情報を用いて、大当たり発生抽選、特図表示部４３の表示の設定、図柄表示装置４１の図柄表示の設定、普図表示部４４の表示の設定などを行うこととしており、具体的には、図１１に示すように、大当たり発生抽選に使用する大当たり乱数カウンタＣ１と、確変大当たり結果や通常大当たり結果等の大当たり種別を判定する際に使用する大当たり種別カウンタＣ２と、図柄表示装置４１が外れ変動する際のリーチ発生抽選に使用するリーチ乱数カウンタＣ３と、大当たり乱数カウンタＣ１の初期値設定に使用する乱数初期値カウンタＣＩＮＩと、特図表示部４３及び図柄表示装置４１における変動表示時間を決定する変動種別カウンタＣＳとを用いることとしている。さらに、下作動口３４の普電役物３４ａを電役開放状態とするか否かの抽選に使用する普電役物開放カウンタＣ４を用いることとしている。
【００９２】
各カウンタＣ１〜Ｃ３，ＣＩＮＩ，ＣＳ，Ｃ４は、その更新の都度前回値に１が加算され、最大値に達した後０に戻るループカウンタとなっている。各カウンタは短時間間隔で更新され、その更新値がＲＡＭ１６５の所定領域に設定された抽選カウンタ用バッファ１６５ａに適宜格納される。このうち抽選カウンタ用バッファ１６５ａにおいて、大当たり乱数カウンタＣ１、大当たり種別カウンタＣ２及びリーチ乱数カウンタＣ３に対応した情報は、上作動口３３又は下作動口３４への入賞が発生した場合に、取得情報記憶手段としての保留球格納エリア１６５ｂに格納される。
【００９３】
保留球格納エリア１６５ｂは、保留用エリアＲＥと、実行エリアＡＥとを備えている。保留用エリアＲＥは、第１保留エリアＲＥ１、第２保留エリアＲＥ２、第３保留エリアＲＥ３及び第４保留エリアＲＥ４を備えており、上作動口３３又は下作動口３４への入賞履歴に合わせて、抽選カウンタ用バッファ１６５ａに格納されている大当たり乱数カウンタＣ１、大当たり種別カウンタＣ２及びリーチ乱数カウンタＣ３の各数値情報が保留情報として、いずれかの保留エリアＲＥ１〜ＲＥ４に格納される。
【００９４】
この場合、第１保留エリアＲＥ１〜第４保留エリアＲＥ４には、上作動口３３又は下作動口３４への入賞が複数回連続して発生した場合に、第１保留エリアＲＥ１→第２保留エリアＲＥ２→第３保留エリアＲＥ３→第４保留エリアＲＥ４の順に各数値情報が時系列的に格納されていく。このように４つの保留エリアＲＥ１〜ＲＥ４が設けられていることにより、上作動口３３又は下作動口３４への遊技球の入賞履歴が最大４個まで保留記憶されるようになっている。また、保留用エリアＲＥは、保留数記憶エリアＮＡを備えており、当該保留数記憶エリアＮＡには上作動口３３又は下作動口３４への入賞履歴を保留記憶している数を特定するための情報が格納される。
【００９５】
なお、保留記憶可能な数は、４個に限定されることはなく任意であり、２個、３個又は５個以上といったように他の複数であってもよく、単数であってもよい。
【００９６】
実行エリアＡＥは、特図表示部４３の変動表示を開始する際に、保留用エリアＲＥの第１保留エリアＲＥ１に格納された各値を移動させるためのエリアであり、１遊技回の開始に際しては実行エリアＡＥに記憶されている各種数値情報に基づいて、当否判定などが行われる。
【００９７】
上記各カウンタについて詳細に説明する。
【００９８】
各カウンタについて詳しくは、大当たり乱数カウンタＣ１は、例えば０〜５９９の範囲内で順に１ずつ加算され、最大値に達した後０に戻る構成となっている。特に大当たり乱数カウンタＣ１が１周した場合、その時点の乱数初期値カウンタＣＩＮＩの値が当該大当たり乱数カウンタＣ１の初期値として読み込まれる。なお、乱数初期値カウンタＣＩＮＩは、大当たり乱数カウンタＣ１と同様のループカウンタである（値＝０〜５９９）。大当たり乱数カウンタＣ１は定期的に更新され、遊技球が上作動口３３又は下作動口３４に入賞したタイミングで保留球格納エリア１６５ｂに格納される。
【００９９】
大当たり当選となる乱数の値は、ＲＯＭ１６４における当否情報群記憶手段としての当否テーブル記憶エリアに当否テーブルとして記憶されている。当否テーブルとしては、低確率モード用の当否テーブルと、高確率モード用の当否テーブルとが設定されている。つまり、本パチンコ機１０は、当否抽選手段における抽選モードとして、低確率モードと高確率モードとが設定されている。
【０１００】
上記抽選に際して低確率モード用の当否テーブルが参照されることとなる遊技状態下では、大当たり当選となる乱数の数は２個である。一方、上記抽選に際して高確率モード用の当否テーブルが参照されることとなる遊技状態下では、大当たり当選となる乱数の数は２０個である。なお、低確率モードよりも高確率モードの方の当選確率が高くなるのであれば、上記当選となる乱数の数は任意である。
【０１０１】
大当たり種別カウンタＣ２は、０〜２９の範囲内で順に１ずつ加算され、最大値に達した後０に戻る構成となっている。大当たり種別カウンタＣ２は定期的に更新され、遊技球が上作動口３３又は下作動口３４に入賞したタイミングで保留球格納エリア１６５ｂに格納される。
【０１０２】
本パチンコ機１０では、（１）開閉実行モード終了後の当否抽選手段における当否抽選モード、（２）開閉実行モード終了後の下作動口３４の普電役物３４ａにおけるサポートモード、という２つの条件に差異を設けることにより、複数の大当たり結果が設定されている。当否抽選モードとしては、上述したとおり低確率モードと高確率モードとが設定されている。
【０１０３】
サポートモードとしては、遊技領域ＰＥに対して同様の態様で遊技球の発射が継続されている状況で比較した場合に、下作動口３４の普電役物３４ａが単位時間当たりに開放状態となる頻度が相対的に高低となるように、低頻度サポートモードと高頻度サポートモードとが設定されている。
【０１０４】
具体的には、低頻度サポートモードと高頻度サポートモードとでは、普電役物開放カウンタＣ４を用いた普電役物開放抽選における電役開放状態当選となる確率は同一（例えば、共に４／５）となっているが、高頻度サポートモードでは低頻度サポートモードよりも、電役開放状態当選となった際に普電役物３４ａが開放状態となる回数が多く設定されており、さらに１回の開放時間が長く設定されている。この場合、高頻度サポートモードにおいて電役開放状態当選となり普電役物３４ａの開放状態が複数回発生する場合において、１回の開放状態が終了してから次の開放状態が開始されるまでの閉鎖時間は、１回の開放時間よりも短く設定されている。さらにまた、高頻度サポートモードでは低頻度サポートモードよりも、１回の普電役物開放抽選が行われてから次の普電役物開放抽選が行われる上で確保される確保時間として短い時間が選択されるように設定されている。
【０１０５】
上記のように高頻度サポートモードでは、低頻度サポートモードよりも下作動口３４への入賞が発生する確率が高くなる。換言すれば、低頻度サポートモードでは、下作動口３４よりも上作動口３３への入賞が発生する確率が高くなるが、高頻度サポートモードでは、上作動口３３よりも下作動口３４への入賞が発生する確率が高くなる。そして、下作動口３４への入賞が発生した場合には、所定個数の遊技球の払出が実行されるため、高頻度サポートモードでは、遊技者は持ち球をあまり減らさないようにしながら遊技を行うことができる。
【０１０６】
なお、高頻度サポートモードを低頻度サポートモードよりも単位時間当たりに電役開放状態となる頻度を高くする上での構成は、上記のものに限定されることはなく、例えば普電役物開放抽選における電役開放状態当選となる確率を高くする構成としてもよい。また、１回の普電役物開放抽選が行われてから次の普電役物開放抽選が行われる上で確保される確保時間（例えば、スルーゲート３５への入賞に基づき普図表示部４４にて実行される変動表示の時間）が複数種類用意されている構成においては、高頻度サポートモードでは低頻度サポートモードよりも、短い確保時間が選択され易い又は平均の確保時間が短くなるように設定されていてもよい。さらには、開放回数を多くする、開放時間を長くする、１回の普電役物開放抽選が行われてから次の普電役物開放抽選が行われる上で確保される確保時間を短くする（すなわち、普図表示部４４における１回の表示継続期間を短くする）、係る確保時間の平均時間を短くする及び当選確率を高くすることのうち、いずれか１条件又は任意の組み合わせの条件を適用することで、低頻度サポートモードに対する高頻度サポートモードの有利性を高めてもよい。
【０１０７】
大当たり種別カウンタＣ２に対する遊技結果の振分先は、ＲＯＭ１６４における振分情報群記憶手段としての振分テーブル記憶エリアに振分テーブルとして記憶されている。そして、かかる振分先として、通常大当たり結果と確変大当たり結果とが設定されている。
【０１０８】
通常大当たり結果は、開閉実行モードの終了後に、当否抽選モードが低確率モードとなるとともに、サポートモードが移行後において遊技回数が終了基準回数（具体的には、１００回）となるまで高頻度サポートモードとなる大当たり結果である。なお、終了基準回数が経過した後に、低頻度サポートモードに移行する。
【０１０９】
確変大当たり結果は、開閉実行モードの終了後に、当否抽選モードが高確率モードとなるとともに、サポートモードが高頻度サポートモードとなる大当たり結果である。当該高頻度サポートモードは、当否抽選における抽選結果が大当たり状態当選となり、それによる大当たり状態に移行するまで継続する。
【０１１０】
振分テーブルにおいて、「０〜９」が通常大当たり結果に対応しており、「１０〜２９」が確変大当たり結果に対応しているが、この数値の振分は任意である。また、大当たり結果の振分先は、上記の２種類に限定されることはなく、例えば、開閉実行モードにおいて遊技球の獲得期待値が高低となるように複数のモードを設定し、当該開閉実行モードの移行先のモードに差異を設けることで大当たり結果の種別を上記の２種類よりも増やす構成としてもよい。
【０１１１】
リーチ乱数カウンタＣ３は、例えば０〜２３８の範囲内で順に１ずつ加算され、最大値に達した後０に戻る構成となっている。ここで、本パチンコ機１０には、図柄表示装置４１における表示演出の一種として期待演出が設定されている。
【０１１２】
期待演出には、リーチに伴うリーチ表示と、当該リーチ表示が発生する前段階などにおいてリーチ表示の発生や大当たり結果の発生を期待させるための予告表示との２種類が設定されている。
【０１１３】
リーチ表示には、図柄表示装置４１の表示画面に表示される複数の図柄列のうち一部の図柄列について図柄を停止表示させることで、リーチ図柄の組み合わせを表示し、その状態で残りの図柄列において図柄の変動表示を行う表示状態が含まれる。また、上記のようにリーチ図柄の組み合わせを表示した状態で、残りの図柄列において図柄の変動表示を行うとともに、その背景画面において所定のキャラクタなどを動画として表示することによりリーチ演出を行うものや、リーチ図柄の組み合わせを縮小表示させる又は非表示とした上で、表示画面の略全体において所定のキャラクタなどを動画として表示することによりリーチ演出を行うものが含まれる。
【０１１４】
予告表示には、図柄表示装置４１の表示画面において図柄の変動表示が開始されてから、全ての図柄列にて図柄が変動表示されている状況において、又は一部の図柄列であって複数の図柄列にて図柄が変動表示されている状況において、図柄列上の図柄とは別にキャラクタを表示させる態様が含まれる。また、背景画面をそれまでの態様とは異なる所定の態様とするものや、図柄列上の図柄をそれまでの態様とは異なる所定の態様とするものも含まれる。かかる予告表示は、リーチ表示が行われる場合及びリーチ表示が行われない場合のいずれの遊技回においても発生し得るが、リーチ表示の行われる場合の方がリーチ表示の行われない場合よりも高確率で発生するように設定されている。
【０１１５】
リーチ表示は、開閉実行モードに移行する遊技回では、リーチ乱数カウンタＣ３の値に関係なく実行される。また、開閉実行モードに移行しない遊技回では、ＲＯＭ１６４のリーチ用テーブル記憶エリアに記憶されたリーチ用テーブルを参照して、所定のタイミングで取得したリーチ乱数カウンタＣ３がリーチ表示の発生に対応している場合に実行される。一方、予告表示を行うか否かの決定は、主制御装置１６１において行うのではなく、表示制御装置１７２において行われる。
【０１１６】
変動種別カウンタＣＳは、例えば０〜１９８の範囲内で順に１ずつ加算され、最大値に達した後０に戻る構成となっている。変動種別カウンタＣＳは、特図表示部４３における表示継続期間と、図柄表示装置４１における図柄の表示継続期間とをＭＰＵ１６３において決定する上で用いられる。変動種別カウンタＣＳは、後述する通常処理が１回実行される毎に１回更新され、当該通常処理内の残余時間内でも繰り返し更新される。そして、特図表示部４３における変動表示の開始時及び図柄表示装置４１による図柄の変動開始時における変動パターン決定に際して変動種別カウンタＣＳのバッファ値が取得される。
【０１１７】
普電役物開放カウンタＣ４は、例えば、０〜２５０の範囲内で順に１ずつ加算され、最大値に達した後０に戻る構成となっている。普電役物開放カウンタＣ４は定期的に更新され、スルーゲート３５に遊技球が入賞したタイミングでＲＡＭ１６５の電役保留エリア１６５ｃに格納される。そして、その格納された普電役物開放カウンタＣ４の値によって普電役物３４ａを開放状態に制御するか否かの抽選が行われる。
【０１１８】
図１３の説明に戻り、ＭＰＵ１６３の出力側には、払出制御装置１７４が接続されているとともに、音声ランプ制御装置１７１が接続されている。払出制御装置１７４には、例えば、上記入賞対応入球部への入賞判定結果に基づいて賞球コマンドが送信される。払出制御装置１７４は、主制御装置１６１から受信した賞球コマンドに基づいて、払出装置１７３により賞球や貸し球の払出制御を行う。
【０１１９】
音声ランプ制御装置１７１は、主制御装置１６１から受信した演出用コマンドに基づいて、各遊技回における演出内容や開閉実行モード中の演出内容を決定し、その決定結果に基づいて表示ランプ部６３やスピーカ部６４を駆動制御する。また、音声ランプ制御装置１７１は、その決定結果に対応したコマンドを表示制御装置１７２に送信する。表示制御装置１７２では、その受信したコマンドに応じて図柄表示装置４１を表示制御することで、当該図柄表示装置４１において遊技回の演出に対応した画像の表示や開閉実行モードの演出に対応した画像の表示を行わせる。
【０１２０】
また、ＭＰＵ１６３の入力側及び出力側には、電源及び発射制御基板１７６に設けられた発射制御部１７８が接続されている。発射制御部１７８には、ハンドル装置７１に内蔵された可変抵抗器１５５、プッシュセンサ１５７、及びハンドル用タッチセンサ１５８が接続されている。
【０１２１】
ハンドル用タッチセンサ１５８は、操作ハンドル７４に設けられた電極１８２に対して、信号線１８３を通じて電気的に接続されている。当該ハンドル用タッチセンサ１５８にはコンデンサが内蔵されており、遊技者の手が操作ハンドル７４及び回動リング１２５の少なくとも一部の外表面に接触してコンデンサの静電容量が変化すると、ハンドル操作検知に対応した所定の電気信号を発射制御部１７８に出力する。発射制御部１７８では当該所定の電気信号の受信により、遊技者の手が操作ハンドル７４及び回動リング１２５のうち少なくとも一部の外表面に接触していると認識する。
【０１２２】
発射制御部１７８は、プッシュセンサ１５７からの電気信号が発射止めスイッチ１５６が非操作であることに対応しており、且つハンドル用タッチセンサ１５８からの電気信号が遊技者により操作ハンドル７４及び回動リング１２５の少なくとも一部が触れられていることに対応している場合に、信号線１９３通じてその旨の信号を、主制御装置１６１のＭＰＵ１６３に送信する。ＭＰＵ１６３では、その検知結果に応じて所定の処理を実行し、遊技球の発射を許可できる状況であれば、信号線１９４を通じて発射制御部１７８に発射許可コマンドを送信する。
【０１２３】
発射制御部１７８は、遊技球発射機構５１のソレノイド５２と電気的に接続されており、ＭＰＵ１６３から発射許可コマンドを受信した場合には、ソレノイド５２に所定の発射強度に対応した駆動信号を出力する。プッシュセンサ１５７からの電気信号が発射止めスイッチ１５６が操作されていることに対応した電気信号である場合、及びハンドル用タッチセンサ１５８からの電気信号が遊技者により操作ハンドル７４及び回動リング１２５のうち少なくとも一部が触れられていないことに対応した電気信号である場合のいずれかの条件を満たしている場合には、遊技球は発射されない。
【０１２４】
以上詳述した本実施形態によれば、以下の優れた効果を奏する。
【０１２５】
ハンドル装置７１は、各奥側指掛け部１１５ａ〜１１５ｃ及び各手前側指掛け部１１６ａ〜１１６ｃが設けられたことにより、通常程度の手の大きさである遊技者がハンドル装置７１を手前側から把持する場合には、操作ハンドル７４のハンドル外側環部１１２に形成された各奥側指掛け部１１５ａ〜１１５ｃに指を掛けた状態で、操作ハンドル７４を回動させる。一方で、通常程度よりも手の小さい遊技者がハンドル装置７１を手前側から把持する場合には、各手前側指掛け部１１６ａ〜１１６ｃに指を掛けた状態で、各奥側指掛け部１１５ａ〜１１５ｃを介して、操作ハンドル７４を一体的に回動させることができる。これにより、遊技者は、手の大小を問わず操作ハンドル７４を回動操作することができ、ハンドル装置７１の操作性が向上する。
【０１２６】
各奥側指掛け部１１５ａ〜１１５ｃと各手前側指掛け部１１６ａ〜１１６ｃとが前後に並んで配置されていことにより、通常程度の手の大きさである遊技者が各奥側指掛け部１１５ａ〜１１５ｃに指を掛けてハンドル操作を行う場合には、各手前側指掛け部１１６ａ〜１１６ｃが指と指との間に位置することとなり、各手前側指掛け部１１６ａ〜１１６ｃと指とが接触することによる不快感を低減できる。
【０１２７】
各手前側指掛け部１１６ａ〜１１６ｃの突出量Ｘ１が各奥側指掛け部１１５ａ〜１１５ｃの突出量Ｘ２よりも小さく、突出量Ｘ１は前方となるほど小さくなっていることにより、通常程度の手の大きさである遊技者が手前側からハンドル装置７１を把持しようとする場合には、指以外の手のひら等が各手前側指掛け部１１６ａ〜１１６ｃに接触することによる不快感を低減できる。
【０１２８】
一方、通常程度よりも手の小さい遊技者が各手前側指掛け部１１６ａ〜１１６ｃに指を掛けようとする場合には、各手前側指掛け部１１６ａ〜１１６ｃが後側カバー部１２４の表面より外側に突出しているため、通常程度よりも手の小さい遊技者が各手前側指掛け部１１６ａ〜１１６ｃに指を掛けることが可能となる。これにより、通常程度よりも手の小さい遊技者は、各手前側指掛け部１１６ａ〜１１６ｃに指を掛けた状態で、各奥側指掛け部１１５ａ〜１１５ｃを介して操作ハンドル７４を回動操作することができ、ハンドル装置７１の操作性が向上する。
【０１２９】
前側カバー部１２３が設けられているため、手のひら等を前側カバー部１２３に接触させて、各奥側指掛け部１１５ａ〜１１５ｃ及び各手前側指掛け部１１６ａ〜１１６ｃのいずれか一方に指を掛けることができる。また、各奥側指掛け部１１５ａ〜１１５ｃ及び各手前側指掛け部１１６ａ〜１１６ｃのいずれに指を掛ける場合であっても、各手前側指掛け部１１６ａ〜１１６ｃの間に露出している後側カバー部１２４に手を置くことができる。これにより、遊技者は、前側カバー部１２３を手前側から奥側に向けて押し付けたり、後側カバー部１２４に手を置いたりしながら、各奥側指掛け部１１５ａ〜１１５ｃ及び各手前側指掛け部１１６ａ〜１１６ｃのどちらか一方を選択して操作することができ、ハンドル装置７１を疲れることなく操作することができる。しかも、各奥側指掛け部１１５ａ〜１１５ｃ及び各手前側指掛け部１１６ａ〜１１６ｃは前後に連続して形成されることから、両方に差し掛かるような中間位置に指を掛けることもでき、遊技者は自身が握り易い位置を無段階に選択することができる。
【０１３０】
各奥側指掛け部１１５ａ〜１１５ｃと各手前側指掛け部１１６ａ〜１１６ｃとがそれぞれ固定されており、各手前側指掛け部１１６ａ〜１１６ｃがリング外側環部１２６と一体形成されているため、各手前側指掛け部１１６ａ〜１１６ｃの強度が上がり、各手前側指掛け部１１６ａ〜１１６ｃに指を掛けた状態で、操作ハンドル７４を回動させても、各奥側指掛け部１１５ａ〜１１５ｃの回転角と各手前側指掛け部１１６ａ〜１１６ｃの回転角とにおける位相のずれを低減できる。これにより、遊技者は、操作ハンドル７４を所望とする回動位置に維持することができる。
【０１３１】
奥側指掛け凹部１１７に設けられた連結部１１８ａと、連結部１１８ｂとがハンドル装置７１の後方からネジ１２２により締結されているため、ハンドル装置７１の後方からネジ１２２の締結を不正に解除しようとしても、奥側指掛け凹部１１７の内側にネジ１２２の頭部があるため、締結を解除するための器具を不正に侵入させることが困難となっている。これにより、当該締結を不正に解除することは困難である。
【０１３２】
前側カバー部１２３と回動リング１２５との間の隙間、後側カバー部１２４と回動リング１２５との間の隙間、後側カバー部１２４と操作ハンドル７４との間の隙間及び基部７２と操作ハンドル７４との間の隙間は、前側カバー部１２３、後側カバー部１２４及び基部７２に対して、回動リング１２５及び操作ハンドル７４が擦れることを抑制している。これにより、操作ハンドル７４を所望とする回動位置に擦れがない状態で配置することができ、かかる擦れに起因したハンドル装置７１の破損等の発生を抑制することができ、さらに、ハンドル装置７１の操作性向上も図れる。これら隙間にコインや硬貨を差し込み、操作ハンドル７４を無理に仮固定しようとする行為が想定される。これに対して、それら隙間にコインや硬貨を差し込むことは、不可又は困難となっている。これにより、上記のような仮固定を行うことが阻止され、かかる仮固定に起因したハンドル装置７１の破損等の発生を抑制することができる。
【０１３３】
後側カバー部１２４と各手前側指掛け部１１６ａ〜１１６ｃとの間の隙間は、後側カバー部１２４に対して、各手前側指掛け部１１６ａ〜１１６ｃが擦れることを抑制している。これにより、操作ハンドル７４を所望とする回動位置に擦れがない状態で配置することができ、かかる擦れに起因したハンドル装置７１の破損等の発生を抑制することができ、さらに、ハンドル装置７１の操作性向上も図れる。これら隙間にコインや硬貨を差し込み、操作ハンドル７４を無理に仮固定しようとする行為が想定される。これに対して、各手前側指掛け部１１６ａ〜１１６ｃの前方が回動リング１２５と繋がっているため、各手前側指掛け部１１６ａ〜１１６ｃが後側カバー部１２４から浮き上がることが抑制され、コインや硬貨を差し込むことが不可又は困難となっている。これにより、上記のような仮固定を行うことが阻止され、かかる仮固定に起因したハンドル装置７１の破損等の発生を抑制することができる。
【０１３４】
操作ハンドル７４、回動リング１２５、各奥側指掛け部１１５ａ〜１１５ｃ及び各手前側指掛け部１１６ａ〜１１６ｃの外表面が金属メッキされていることにより、これらの少なくとも一部に手を接触させることで、ハンドル用タッチセンサ１５８を介して、発射制御部１７８に対して遊技球の発射を許可する信号を送信できる。これにより、例えば、第１手前側指掛け部１１６ａに触れているだけでよいため、必要以上にハンドル装置７１を握り込まなくてもよくなり、ハンドル装置７１の操作性が向上する。
【０１３５】
＜第２の実施形態＞
本実施形態では、ハンドル装置２０１の構成が上記第１の実施形態と異なっており、以下、その相違する構成について、図１２（ａ），（ｂ）及び図１３を参照しながら説明する。図１２（ａ）はハンドル装置２０１の前方から見た斜視図、図１２（ｂ）はハンドル装置２０１の後方から見た斜視図、図１３はハンドル装置２０１の正面図である。なお、上記第１の実施形態と同一の構成については、上記第１の実施形態と同一の番号を利用するとともに、基本的にその説明を省略する。
【０１３６】
ハンドル装置２０１は前扉枠１４の正面視における右側に設けられており、図１２（ａ），（ｂ）に示すように、第１の実施形態と同様に前扉枠１４に固定される基部７２を備えている。第１の実施形態では、基部７２の前方に固定される前面ユニット７３は、前側カバー部１２３、回動リング１２５及び後側カバー部１２４からなる分割構造であったが、本実施形態では単一構造となっている。すなわち、基部７２に固定されハンドル装置２０１の前方を構成するカバー部２０３が設けられ、カバー部２０３は、全体としてその表面が前方に向けて滑らかな凸形となる球面状に形成されている。基部７２とカバー部２０３との間には、遊技球の発射に際して右方向に回動操作（回転操作）される操作ハンドル２０４が設けられている。カバー部２０３は前側カバー部１２３及び後側カバー部１２４と同様に、合成樹脂により形成されている。
【０１３７】
操作ハンドル２０４は、第１の実施形態と同様の構造であり、操作ハンドル２０４のハンドル外側環部２１２には、径方向へ突出させて正面視の左側から順に第１奥側指掛け部２１５ａ、第２奥側指掛け部２１５ｂ及び第３奥側指掛け部２１５ｃがそれぞれ一体形成されている。
【０１３８】
各奥側指掛け部２１５ａ〜２１５ｃの前方には、カバー部２０３の外表面に沿い、正面視の左側から順に第１手前側指掛け部２１６ａ、第２手前側指掛け部２１６ｂ及び第３手前側指掛け部２１６ｃが設けられている。各手前側指掛け部２１６ａ〜２１６ｃは、操作ハンドル２０４側の基端部２２６からカバー部２０３の頂部に向けてそれぞれが延出されており、それら延出先の先端部２２７は自由端となっている。
【０１３９】
各奥側指掛け部２１５ａ〜２１５ｃと各手前側指掛け部２１６ａ〜２１６ｃとの固定構造は、上記第１の実施形態における各奥側指掛け部１１５ａ〜１１５ｃと各手前側指掛け部１１６ａ〜１１６ｃとの固定構造と同一のため、省略する。
【０１４０】
図１３に示すように、各手前側指掛け部２１６ａ〜２１６ｃのそれぞれには、指が掛けられる面である操作面２２８が形成されている。操作面２２８は、それぞれが上述した回動操作方向の反対方向である左方向を向いて形成されており、基端部２２６と先端部２２７との中間位置にて屈曲している。操作面２２８は、基端部２２６から当該中間位置までの第１操作面２２８ａと当該中間位置から先端部２２７までの第２操作面２２８ｂとにより構成されている。第２操作面２２８ｂは、それぞれが上記中間位置を基準として、それら第１操作面２２８ａに対して上記回動操作方向と反対方向である左方向に傾倒している。なお、上記中間位置にて操作面２２８が上記中間位置にて屈曲しているのではなく、上記中間位置よりも基端部２２６側又は先端部２２７側にて屈曲していてもよく、屈曲している位置は任意であり、操作面２２８が屈曲しているのではなく、湾曲していてもよい。さらに、ハンドル装置２０１が前扉枠１４の正面視における左側に設けられている場合には、操作ハンドル２０４の回動操作方向とは左方向であり、同回動操作方向の反対方向とは右方向となる。
【０１４１】
ここで、図示はしないが、操作ハンドル２０４に対して、カバー部２０３と基部７２との固定方法について説明する。カバー部２０３の背面に形成された複数のネジ孔及び基部７２に形成された当該ネジ孔と同数のボスに対して、基部７２の後側から挿入されたネジにより締結されており、カバー部２０３と基部７２とは操作ハンドル２０４を挟むようにして固定されている。
【０１４２】
第１の実施形態と同様に、ハンドル外側環部２１２の前後にカバー部２０３及び基部７２が隙間を隔てて対向している。それら隙間は１円硬貨，１０円硬貨等の各種硬貨や、遊技ホールにおいてパチンコ機１０とともに設置されるスロットマシン用の遊技メダルが差し込むことが不可又は困難となる隙間であり、本実施形態における当該隙間の前後幅及び深さは０．５ｍｍ以下となっている。
【０１４３】
仮に、製造ばらつきや上記硬貨等を差し込もうとする過程において、ハンドル外側環部２１２がカバー部２０３側及び基部７２側のいずれか一方に偏った場合に、他方の隙間が広がった状態となる。これに対して、一方に偏った場合の他方の隙間は、上記硬貨やコインのうち最も厚みが薄い１円硬貨の１．５ｍｍよりも狭い１．０ｍｍ以下となるようにするのが好ましい。
【０１４４】
第１の実施形態と同様に、各手前側指掛け部２１６ａ〜２１６ｃは、カバー部２０３の表面とそれぞれ隙間を隔てて対向しており、これら隙間は、各手前側指掛け部２１６ａ〜２１６ｃとカバー部２０３の表面とが擦れることを抑制している。本実施形態におけるこれら隙間は０．５ｍｍ以下となっている。
【０１４５】
当該構成の場合、前述したそれら隙間にコインや硬貨を差し込み、操作ハンドル２０４を無理に仮固定しようとする行為が想定される。
【０１４６】
これに対して、それら隙間にコインや硬貨を差し込むことは、不可又は困難となっている。したがって、上記のような仮固定を行うことが阻止され、かかる仮固定に起因したハンドル装置２０１の破損等の発生を抑制することができる。
【０１４７】
以上詳述した本実施形態によれば、以下の優れた効果を奏する。
【０１４８】
ハンドル装置２０１は前扉枠１４の正面から見て右側に設けられており、操作ハンドル２０４を右方向に回動させることで遊技球を発射させる。このため、パチンコ機正面に着座した遊技者が操作ハンドル２０４を右手で回動操作することとなる。ハンドル装置２０１に設けられた各手前側指掛け部２１６ａ〜２１６ｃには、それぞれ操作面２２８が回動操作方向の反対方向である左方向を向いて形成されている。操作面２２８は、基端部２２６から上記中間位置までの第１操作面２２８ａと上記中間位置から先端部２２７までの第２操作面２２８ｂとにより構成されている。第２操作面２２８ｂは、それぞれが上記中間位置を基準としてそれら第１操作面２２８ａに対して回動操作方向の反対方向である左方向に傾倒している。通常程度よりも手の小さい遊技者がハンドル装置２０１を正面から把持し、操作面２２８に指を掛けた状態で回動操作する場合に、第２操作面２２８ｂが第１操作面２２８ａに対して回動操作方向と反対方向である左方向に傾倒しているため、遊技者の指と第２操作面２２８ｂとの接触面積が大きくなる。これにより、通常程度よりも手の小さい遊技者は、所望とする回動操作量を安定して維持することが可能となる。
【０１４９】
ハンドル装置２０１は、各奥側指掛け部２１５ａ〜２１５ｃ及び各手前側指掛け部２１６ａ〜２１６ｃが設けられたことにより、通常程度の手の大きさである遊技者がハンドル装置２０１を手前側から把持する場合には、操作ハンドル２０４のハンドル外側環部２１２に形成された各奥側指掛け部２１５ａ〜２１５ｃに指を掛けた状態で、操作ハンドル２０４を回動させる。一方で、通常程度よりも手の小さい遊技者がハンドル装置２０１を手前側から把持する場合には、各手前側指掛け部２１６ａ〜２１６ｃに指を掛けた状態で、各奥側指掛け部２１５ａ〜２１５ｃを介して、操作ハンドル２０４を一体的に回動させることができる。また、各奥側指掛け部２１５ａ〜２１５ｃ及び各手前側指掛け部２１６ａ〜２１６ｃのいずれに指を掛ける場合であっても、各手前側指掛け部２１６ａ〜２１６ｃの間に露出しているカバー部２０３に手を置くことができる。これにより、遊技者は、手の大小を問わず操作ハンドル２０４を回動操作することができ、ハンドル装置２０１を疲れることなく操作することができる。しかも、各奥側指掛け部２１５ａ〜２１５ｃ及び各手前側指掛け部２１６ａ〜２１６ｃは前後に連続して形成されることから、両方に差し掛かるような中間位置に指を掛けることもでき、遊技者は自身が握り易い位置を無段階に選択することができる。
【０１５０】
各奥側指掛け部２１５ａ〜２１５ｃと各手前側指掛け部２１６ａ〜２１６ｃとが前後に並んで配置されていことにより、通常程度の手の大きさである遊技者が各奥側指掛け部２１５ａ〜２１５ｃに指を掛けてハンドル操作を行う場合には、各手前側指掛け部２１６ａ〜２１６ｃが指と指との間に位置することとなり、各手前側指掛け部２１６ａ〜２１６ｃと指とが接触することによる不快感を低減できる。
【０１５１】
各手前側指掛け部２１６ａ〜２１６ｃの突出量が各奥側指掛け部２１５ａ〜２１５ｃの突出量よりも小さく、各奥側指掛け部２１５ａ〜２１５ｃの突出量は前方となるほど小さくなっていることにより、通常程度の手の大きさである遊技者が手前側からハンドル装置２０１を把持しようとする場合には、指以外の手のひら等が各手前側指掛け部２１６ａ〜２１６ｃに接触することによる不快感を低減できる。
【０１５２】
一方、通常程度よりも手の小さい遊技者が各手前側指掛け部２１６ａ〜２１６ｃに指を掛けようとする場合には、各手前側指掛け部２１６ａ〜２１６ｃがカバー部２０３の表面より外側に突出しているため、通常程度よりも手の小さい遊技者が各手前側指掛け部２１６ａ〜２１６ｃに指を掛けることが可能となる。これにより、通常程度よりも手の小さい遊技者は、各手前側指掛け部２１６ａ〜２１６ｃに指を掛けた状態で、各奥側指掛け部２１５ａ〜２１５ｃを介して操作ハンドル２０４を回動操作することができ、ハンドル装置２０１の操作性が向上する。
【０１５３】
＜第３の実施形態＞
本実施形態では、ハンドル装置３０１の構成が上記第１及び第２の実施形態と異なっている。以下、その相違する構成について、図１４（ａ），（ｂ）、図１５、図１６及び図１７を参照しながら説明する。図１４（ａ）はハンドル装置３０１の前方から見た斜視図、図１４（ｂ）はハンドル装置３０１の後方から見た斜視図、図１５はハンドル装置３０１の正面図、図１６はハンドル装置３０１の前方から見た分解斜視図、図１７は図１５のＢ−Ｂ線部分における断面図である。なお、上記第１及び第２の実施形態と同一の構成については、上記第１の実施形態と同一の番号を利用するとともに、基本的にその説明を省略する。
【０１５４】
ハンドル装置３０１は、図１４（ａ），（ｂ）に示すように、第１及び第２の実施形態と同様に前扉枠１４に固定される基部７２を備えており、ハンドル装置３０１の前面側を構成する前面ユニット３０３と、基部７２及び前面ユニット３０３の間に設けられ、遊技球の発射に際して回動操作（回転操作）される操作ハンドル３０４とを備えている。なお、基部７２の構成については、上記第１の実施形態と一部異なり、ボス７９ｃは備えておらず、それ以外は同一の構成であるため省略する。上記第１及び第２の実施形態と同一の構成については、上記第１及び第２の実施形態と同一の番号を利用するとともに、基本的にその説明を省略する。
【０１５５】
操作ハンドル３０４は第１及び第２の実施形態と同様に、ハンドル内側環部３１１と、ハンドル外側環部３１２とが同心円となるように一体形成された内外二重の環状となっている。ハンドル外側環部３１２には、径方向へ突出させて正面視の左側から順に第１奥側指掛け部３１５ａ、第２奥側指掛け部３１５ｂ及び第３奥側指掛け部３１５ｃが一体形成されている。各奥側指掛け部３１５ａ〜３１５ｃは第１及び第２の実施形態と異なっており、連結部及び貫通孔は形成されていない。
【０１５６】
操作ハンドル３０４の基部７２からの抜けを防止するようにして、当該操作ハンドル３０４の前方を覆うように前面ユニット３０３が設けられている。前面ユニット３０３は、前側カバー部３２３及び後側カバー部３２４を備えており、前側カバー部３２３と後側カバー部３２４との間には、操作ハンドル３０４と一体的に回動する回動リング３２５が設けられている。
【０１５７】
図１５に示すように、回動リング３２５の外周面であるリング外側環部３２６の外径は、操作ハンドル３０４の外周面であるハンドル外側環部３１２の外径よりも小さく設けられている。リング外側環部３２６には、各奥側指掛け部３１５ａ〜３１５ｃのそれぞれ前方に並び、径方向へ突出させて正面視の左側から順に第１手前側指掛け部３１６ａ、第２手前側指掛け部３１６ｂ及び第３手前側指掛け部３１６ｃが一体形成されている。各手前側指掛け部３１６ａ〜３１６ｃは、第１及び第２の実施形態と異なっており、連結部及ネジ孔は形成されていない。各手前側指掛け部３１６ａ〜３１６ｃの後方から前方に向けてそれら突出量は小さくなっている。
【０１５８】
図１６、図１７に示すように、前側カバー部３２３は、全体としてその表面が前方に向けて滑らかな凸形となる球面状に形成されており、後側カバー部３２４は、カバー内側環部３２７とカバー外側環部３２８とが同心円となるように一体形成された内外二重の環状となっている。
【０１５９】
後側カバー部３２４に対する操作ハンドル３０４及び回動リング３２５の固定構造について説明する。回動リング３２５は、後側カバー部３２４の内部にて、操作ハンドル３０４と固定されている。具体的には、操作ハンドル３０４のハンドル内側環部３１１とハンドル外側環部３１２を繋ぐ連結部には、軸線方向の前方に突出してボス３２９ａ，３２９ｂが一体形成されている。当該ボス３２９ａ，３２９ｂは、後側カバー部３２４のカバー内側環部３２７とカバー外側環部３２８との間に形成された一対のガイド孔３３０ａ，３３０ｂを後方から前方へと貫通している。
【０１６０】
これらガイド孔３３０ａ，３３０ｂは、カバー内側環部３２７とカバー外側環部３２８との間を連結するように１８０°間隔で形成された一対の連結部により区画されていることで形成されており、当該連結部は操作ハンドル３０４に形成された連結部と正面視で重ならない位置に配置されている。ガイド孔３３０ａ，３３０ｂを区画する周面のうち、後側カバー部３２４の径方向の内側及び外側のそれぞれを規定するカバー内側環部３２７の外周面とカバー外側環部３２８の内周面とは、後側カバー部３２４の軸線周りに一定の曲率の曲面となっている。また、これら外周面及び内周面は、少なくともガイド孔３３０ａ，３３０ｂ内側への段差が形成されておらず、さらにはガイド孔３３０ａ，３３０ｂ外側への凹みも形成されていない。
【０１６１】
ボス３２９ａ，３２９ｂは前述したように、ガイド孔３３０ａ，３３０ｂの後方から前方へと貫通しており、回動リング３２５の内側に形成された取付部３３１により固定されている。詳細には、当該取付部３３１の背面には、ネジ孔３３２ａ，３３２ｂが形成されており、操作ハンドル３０４の後方からネジ３３３をボス３２９ａ，３２９ｂに挿通し、ネジ孔３３２ａ，３３２ｂがそれぞれ締結されている。これにより、操作ハンドル３０４及び回動リング３２５は、これらボス３２９ａ，３２９ｂを介して、一体的に回動する構造となっている。
【０１６２】
本実施形態におけるパチンコ機の正面視において操作ハンドル３０４及び回動リング３２５の時計周り方向の回動が、ボス３２９ａとガイド孔３３０ａとの当接により所定の回動位置にて規制されるとともに、反時計周り方向の回動が、ボス３２９ｂとガイド孔３３０ｂとの当接により所定の回動位置にて規制される。そして、操作ハンドル３０４及び回動リング３２５に対して、上記各所定の回動位置のうち後者の側である初期回動位置に付勢する付勢手段としてハンドル用バネが設けられており、操作ハンドル３０４及び回動リング３２５は反時計周り方向にハンドル用バネにより常時付勢されている。付勢力に抗する力が付与されていない場合には、上記各所定の回動位置のうち後者の側である初期回動位置に配置される。
【０１６３】
回動リング３２５に対する前側カバー部３２３と後側カバー部３２４との固定構造について説明する。前側カバー部３２３の中心線を囲むように複数のボス３３４ａ，３３４ｂ，３３４ｃが後方に突出して設けられている。カバー内側環部３２７の正面には、ボス３３４ａ〜３３４ｃを取り付けるための取付部３３５が形成されており、当該取付部３３５には、ボス３３４ａ〜３３４ｃと同数の貫通孔３３６ａ，３３６ｂ，３３６ｃが形成されている。また、回動リング３２５の取付部３３１における中央部には、軸線方向に貫通しているリング側軸孔部３３７が形成されている。これらボス３３４ａ〜３３４ｃはリング側軸孔部３３７を通過し、後側カバー部３２４の背面側から貫通孔３３６ａ〜３３６ｃを通されたネジ３３８によりそれぞれ締結されている。これにより、前側カバー部３２３と後側カバー部３２４とは、回動リング３２５を挟むようにして固定されている。なお、ボス３３４ａ〜３３４ｃ及び貫通孔３３６ａ〜３３６ｃは少なくとも１組あればよく、その組数は任意である。
【０１６４】
第１の実施形態と同様に、ハンドル外側環部３１２は後側カバー部３２４と基部７２との間にそれぞれ隙間を隔てて対向しており、リング外側環部３２６は前側カバー部３２３と後側カバー部３２４との間にそれぞれ隙間を隔てて対向している。これら隙間により、操作ハンドル３０４及び回動リング３２５は前側カバー部３２３、後側カバー部３２４及び基部７２に擦れることなく回動することができる。それら隙間は１円硬貨，１０円硬貨等の各種硬貨や、遊技ホールにおいてパチンコ機１０とともに設置されるスロットマシン用の遊技メダルが差し込むことが不可又は困難となる隙間であり、本実施形態における当該隙間の前後幅及び深さは０．５ｍｍ以下となっている。
【０１６５】
仮に、製造ばらつきや上記硬貨等を差し込もうとする過程において、リング外側環部３２６が前側カバー部３２３側及び後側カバー部３２４側のいずれか一方に偏った場合に、他方の隙間が広がってしまう。これに対して、一方に偏った場合の他方の隙間は、上記硬貨やコインのうち最も厚みが薄い１円硬貨の１．５ｍｍよりも狭い１．０ｍｍ以下となるようにするのが好ましい。
【０１６６】
カバー内側環部３２７とカバー外側環部３２８との連結部分の背面側に形成されたネジ孔３３９ａ，３３９ｂと、ボス７９ａ、７９ｂとに対して、図示しないネジにより、基部７２の後側からそれぞれ締結されている。これにより、後側カバー部３２４と基部７２とは操作ハンドル３０４を挟むようにして固定されており、第１の実施形態と同様に、ハンドル外側環部３１２は前後に後側カバー部３２４及び基部７２と前述した隙間を隔てて対向している。仮に、製造ばらつきや上記硬貨等を差し込もうとする過程において、ハンドル外側環部３１２が後側カバー部３２４側及び基部７２側のいずれか一方に偏った場合に、他方の隙間が広がってしまう。これに対して、一方に偏った場合の他方の隙間は、上記硬貨やコインのうち最も厚みが薄い１円硬貨の１．５ｍｍよりも狭い１．０ｍｍ以下となるようにするのが好ましい。
【０１６７】
当該構成の場合、前述したそれら隙間にコインや硬貨を差し込み、操作ハンドル３０４を無理に仮固定しようとする行為が想定される。これに対して、それら隙間にコインや硬貨を差し込むことは、不可又は困難となっている。したがって、上記のような仮固定を行うことが阻止され、かかる仮固定に起因したハンドル装置３０１の破損等の発生を抑制することができる。
【０１６８】
さらに、後側カバー部３２４における外表面には、後側カバー部３２４の中心線に向かう凹みである凹部３４０が当該外表面の周方向に形成されている。各手前側指掛け部３１６ａ〜３１６ｃに指を掛けた状態でハンドル操作を行う際に、当該凹部３４０に指が入れられる。
【０１６９】
以上詳述した本実施形態によれば、以下の優れた効果を奏する。
【０１７０】
ハンドル装置３０１は、各奥側指掛け部３１５ａ〜３１５ｃ及び各手前側指掛け部３１６ａ〜３１６ｃが設けられたことにより、通常程度の手の大きさである遊技者がハンドル装置３０１を手前側から把持する場合には、操作ハンドル３０４のハンドル外側環部３１２に形成された各奥側指掛け部３１５ａ〜３１５ｃに指を掛けた状態で、操作ハンドル３０４を回動させる。一方で、通常程度よりも手の小さい遊技者がハンドル装置３０１を手前側から把持する場合には、操作ハンドル３０４よりも小さい外径である回動リング３２５に設けられた各手前側指掛け部３１６ａ〜３１６ｃに指を掛けた状態でボス３２９ａ，３２９ｂを介して、操作ハンドル３０４を一体的に回動させることができる。これにより、遊技者は、手の大小を問わず操作ハンドル３０４を回動操作することができ、ハンドル装置３０１の操作性が向上する。
【０１７１】
各奥側指掛け部３１５ａ〜３１５ｃと各手前側指掛け部３１６ａ〜３１６ｃとが前後に並んで配置されていことにより、通常程度の手の大きさである遊技者が各奥側指掛け部３１５ａ〜３１５ｃに指を掛けてハンドル操作を行う場合には、各手前側指掛け部３１６ａ〜３１６ｃが指と指との間に位置することとなり、各手前側指掛け部３１６ａ〜３１６ｃと指とが接触することによる不快感を低減できる。
【０１７２】
各手前側指掛け部３１６ａ〜３１６ｃの突出量が各奥側指掛け部３１５ａ〜３１５ｃの突出量よりも小さいため、通常程度の手の大きさである遊技者が手前側からハンドル装置３０１を把持しようとする場合には、指以外の手のひら等が各手前側指掛け部３１６ａ〜３１６ｃに接触することによる不快感を低減できる。
【０１７３】
一方、通常程度よりも手の小さい遊技者が各手前側指掛け部３１６ａ〜３１６ｃに指を掛けようとする場合には、回動リング３２５のリング外側環部３２６の外径が操作ハンドル３０４のハンドル外側環部３１２の外径よりも小さく、回動リング３２５のリング外側環部３２６から各手前側指掛け部３１６ａ〜３１６ｃが突出しているため、通常程度よりも手の小さい遊技者が各手前側指掛け部３１６ａ〜３１６ｃに指を掛けることが可能となる。これにより、通常程度よりも手の小さい遊技者は、各手前側指掛け部３１６ａ〜３１６ｃに指を掛けた状態で、回動リング３２５を介して操作ハンドル３０４を回動操作することができ、ハンドル装置３０１の操作性が向上する。
【０１７４】
操作ハンドル３０４と回動リング３２５とが固定されているため、各手前側指掛け部３１６ａ〜３１６ｃに指を掛けた状態で、操作ハンドル３０４を回動させても、操作ハンドル３０４の回転角と回動リング３２５の回転角とにおける位相のずれを低減できる。これにより、遊技者は、操作ハンドル３０４を所望とする回動位置に維持することができる。
【０１７５】
後側カバー部３２４に凹部が設けられているため、各手前側指掛け部３１６ａ〜３１６ｃに指を掛けた状態で操作ハンドル３０４所望とする回動位置まで回動操作し、凹部３４０に指を入れることにより、必要以上に前面ユニット３０２が握り込まれることを抑制しつつ、操作ハンドル３０４を所望とする回動位置にて維持することができる。
【０１７６】
＜他の実施形態＞
なお、上述した各実施形態の記載内容に限定されず例えば次のように実施してもよい。ちなみに、以下の各構成を個別に上記各実施形態に対して適用してもよく、一部又は全部を組み合わせて上記各実施形態に対して適用してもよい。また、以下の各構成を、適用対象として例示した実施形態以外の実施形態に対して適用してもよい。
【０１７７】
（１）第１の実施形態における回動リング１２５は、前側カバー部１２３と後側カバー部１２４との間に設けられていたが、この構成を代えて、後側カバー部１２４の前方に回動リング１２５と前側カバー部１２３を一体形成した回動部材を設ける。当該回動部材は、回動リング１２５と同様に操作ハンドル７４と一体的に回動する構成としてもよい。
【０１７８】
このような構成であれば、ハンドル装置７１のような回動リング１２５と前側カバー部１２３との間の隙間が存在しなくなる。これにより、遊技者が上記仮固定を行おうとする隙間が減少し、仮固定に起因するハンドル装置７１の破損等の発生を抑制することができる。
【０１７９】
（２）第１の実施形態における回動リング１２５は、各手前側指掛け部１１６ａ〜１１６ｃの先端側をそれぞれ繋いでいたが、各手前側指掛け部１１６ａ〜１１６ｃを繋ぐのであれば、回動リング１２５は前記先端側よりも基端側に設けてもよい。
【０１８０】
このような構成であれば、第１の実施形態と同様に、各手前側指掛け部１１６ａ〜１１６ｃに指を掛けた状態で、操作ハンドル７４を回動させても、各奥側指掛け部１１５ａ〜１１５ｃの回転角と各手前側指掛け部１１６ａ〜１１６ｃの回転角とにおける位相のずれを低減できる。これにより、遊技者は、操作ハンドル７４を所望とする回動位置に維持することができる。
【０１８１】
（３）第１の実施形態における操作ハンドル７４及び回動リング１２５は、第３の実施形態と同様に前面ユニット７３の内部にて固定されていてもよい。なお、この場合に、操作ハンドル７４及び前面ユニット７３の内部構造は、第３の実施形態における操作ハンドル３０４及び前面ユニット３０３の内部構造と略同一である。
【０１８２】
このような構成であれば、各手前側指掛け部１１６ａ〜１１６ｃに指を掛けた状態で、操作ハンドル７４を回動させても、操作ハンドル７４の回転角と回動リング１２５の回転角とにおける位相のずれがさらに低減できる。これにより、遊技者は、操作ハンドル７４を所望とする回動位置に維持することがより容易となる。
【０１８３】
（４）第２の実施形態における各手前側指掛け部２１６ａ〜２１６ｃは、カバー部２０３の頂部にて、それら先端部２２７が繋がっていてもよい。
【０１８４】
このような構成であれば、各手前側指掛け部２１６ａ〜２１６ｃがそれぞれ繋がっているため、各手前側指掛け部２１６ａ〜２１６ｃそれぞれの強度が上がる。各手前側指掛け部２１６ａ〜２１６ｃに指を掛けた状態で、操作ハンドル２０４を回動させても、各奥側指掛け部２１５ａ〜２１５ｃの回転角と各手前側指掛け部２１６ａ〜２１６ｃの回転角とにおける位相のずれを低減できる。これにより、遊技者は、操作ハンドル２０４を所望とする回動位置に維持することができる。
【０１８５】
（５）第２の実施形態における各手前側指掛け部２１６ａ〜２１６ｃは、操作面２２８が基端部２２６から先端部２２７までにかけて屈曲している構成としたが、各手前側指掛け部２１６ａ〜２１６ｃの全体がそれぞれ屈曲していてもよい。また、それら全体が屈曲に限らず湾曲していてもよい。このような構成であれば、第２の実施形態と同様の効果を奏する。
【０１８６】
（６）第２の実施形態におけるカバー部２０３に代えて、第１の実施形態のように前側カバー部、後側カバー部及び回動リングからなる前面ユニットを備えていてもよく、第１実施形態と同様に各手前側指掛け部２１６ａ〜２１６ｃと当該回動リングとは一体形成されていてもよい。
【０１８７】
このような構成であれば、各手前側指掛け部２１６ａ〜２１６ｃの強度が増しており、各手前側指掛け部２１６ａ〜２１６ｃに指を掛けた状態で、操作ハンドル７４を回動させても、各奥側指掛け部２１５ａ〜２１５ｃの回転角と各手前側指掛け部２１６ａ〜２１６ｃの回転角とにおける位相のずれを低減できる。これにより、遊技者は、操作ハンドル２０４を所望とする回動位置に維持することができる。
【０１８８】
（７）第３の実施形態における前面ユニット３０３は全体としてその表面が前方に向けて滑らかな凸形に形成されているが、これに代えて、第１の実施形態と同様に前面ユニット３０３が全体としてその表面が前方に向けて滑らかな凸形となる球面状に形成されてもよい。
【０１８９】
このような構成であれば、通常程度の手の大きさである遊技者がハンドル装置３０１の手前側から把持する場合には、操作ハンドル３０４の各奥側指掛け部３１５ａ〜３１５ｃに指を掛けた状態で、操作ハンドル３０４を回動させる。一方で、通常程度よりも手の小さい遊技者がハンドル装置３０１の手前側から把持する場合には、各手前側指掛け部３１６ａ〜３１６ｃに指を掛けた状態にて、回動リング３２５を回動させることで、回動リング３２５を介して、操作ハンドル３０４が回動される。これにより、遊技者は、手の大小を問わず操作ハンドル３０４を回動操作することができ、ハンドル装置３０１の操作性が向上する。
【０１９０】
（８）第３の実施形態における凹部３４０は、第１の実施形態における後側カバー部１２４の外表面及び第２の実施形態におけるカバー部２０３後方側の外表面にも形成されていてもよい。
【０１９１】
このような構成であれば、第１の実施形態では前面ユニット７３（第２の実施形態におけるカバー部２０３、以下、この段落での括弧書は第２の実施形態）が全体としてその表面が前方に向けて滑らかな凸形となる球面状に形成されているため、例えば、通常程度よりも手の小さい遊技者がハンドル装置７１（ハンドル装置２０１）の手前側から把持する場合には、各手前側指掛け部１１６ａ〜１１６ｃ（各手前側指掛け部２１６ａ〜２１６ｃ）に指を掛けた状態にて、当該凹部に指を入れることで、必要以上にハンドル装置７１（ハンドル装置２０１）が握り込まれることを抑制しつつ、遊技者は、操作ハンドル７４（操作ハンドル２０４）を所望とする回動位置に維持することができる。
【０１９２】
（９）第１〜３の実施形態における前側カバー部１２３，３２３及びカバー部２０３の空洞部分には、発光手段、送風手段又は振動手段を備えていてもよい。このような構成であれば、ハンドル装置７１，２０１，３０１を介して、遊技者に対して、視覚的又は触覚的に遊技上の演出を体感することができる。これにより、本実施形態におけるパチンコ機の遊技性の向上を図ることができる。
【０１９３】
（１０）上記各実施形態とは異なる他のタイプのパチンコ機等、例えば特別装置の特定領域に遊技球が入ると普電役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０１９４】
＜上記各実施形態から抽出される発明群について＞
以下、上述した各実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。
【０１９５】
なお、下記の特徴に記載された発明は、「遊技機の一種であるパチンコ機は、遊技機本体の前面部にハンドル装置を備えており、当該ハンドル装置が操作されることで発射装置が動作し、遊技領域の上部に遊技球が発射される。従来のハンドル装置は、遊技機本体に固定された基部と、ハンドル装置の前面部を構成する前面カバーと、これら基部及び前面カバーの間に設けられ、回動可能である操作部材と、操作部材に設けられ、指を掛けた状態で操作部材を回動操作することが可能な指掛け部とを備えている。遊技者は、指掛け部に指を掛けた状態で操作部材の回動量を調節し、遊技球が所望の飛距離となるようにする（例えば特許文献１参照）。」という背景技術について、「上記ハンドル装置では、例えば、遊技者が指掛け部に指を掛けると同時に、基部又はカバー部の少なくとも一方に手を接触させることにより、指掛け部を所望の位置に保持できる。これにより、遊技球の発射が安定して行われる。一方で、このようなハンドル装置の場合、通常程度の手の大きさである遊技者にとってはハンドル操作を好適に行えるが、例えば、通常程度よりも手の小さい遊技者にとってはハンドル操作を好適に行えない場合も想定される。本発明は、以上例示した事情等を鑑みてなされたものであり、ハンドル操作を好適に行える遊技機を提供することを目的とするものである。」という発明が解決しようとする課題をもってなされたものである。
【０１９６】
＜特徴群＞
特徴１．遊技領域（遊技領域ＰＥ）に向けて遊技球を発射すべく操作されるハンドル装置（第１の実施形態におけるハンドル装置７１，第２の実施形態におけるハンドル装置２０１，第３の実施形態におけるハンドル装置３０１）を遊技機本体（前扉枠１４）の正面に備えており、
前記ハンドル装置は、
前記遊技機本体に固定される基部（基部７２）と、
前記基部に固定され、前記ハンドル装置の前部を構成するカバー部（第１の実施形態における前面ユニット７３，第２の実施形態におけるカバー部２０３、第３の実施形態における前面ユニット３０３）と、
前記基部と前記カバー部との間に設けられ、遊技球の発射に際して回動操作されるとともに、その回動操作量に基づいて遊技球の発射速度を調整可能な操作部材（第１の実施形態における操作ハンドル７４，第２の実施形態における操作ハンドル２０４，第３の実施形態における操作ハンドル３０４）と、
前記操作部材に設けられ、指を掛けた状態で前記操作部材を回動可能な指掛け部（第１の実施形態における各奥側指掛け部１１５ａ〜１１５ｃ及び各手前側指掛け部１１６ａ〜１１６ｃ，第２の実施形態における各奥側指掛け部２１５ａ〜２１５ｃ及び各手前側指掛け部２１６ａ〜２１６ｃ，第３の実施形態における各奥側指掛け部３１５ａ〜３１５ｃ及び各手前側指掛け部３１６ａ〜３１６ｃ）と
を備えており、
前記指掛け部は、
前記操作部材の外周から突出して設けられた第１指掛け部（第１の実施形態における各奥側指掛け部１１５ａ〜１１５ｃ，第２の実施形態における各奥側指掛け部２１５ａ〜２１５ｃ，第３の実施形態における各奥側指掛け部３１５ａ〜３１５ｃ）と、
前記第１指掛け部より前方において前記カバー部の表面より外側へ突出して設けられ、前記第１指掛け部と一体的に回動する第２指掛け部（第１の実施形態における各手前側指掛け部１１６ａ〜１１６ｃ，第２の実施形態における各手前側指掛け部２１６ａ〜２１６ｃ，各第３の実施形態における手前側指掛け部３１６ａ〜３１６ｃ）と
を備えていることを特徴とする遊技機。
【０１９７】
特徴１によれば、前記第２指掛け部は、前記第１指掛け部と一体的に回動するため、それら指掛け部の少なくとも一方に指を掛けた状態で前記操作部材を回動させることができる。これにより、それぞれの遊技者に適した姿勢でハンドル操作を行うことができる。
【０１９８】
特徴２．前記第１指掛け部及び前記第２指掛け部は、前後に並んで設けられていることを特徴とする特徴１に記載の遊技機。
【０１９９】
特徴２によれば、前記第１指掛け部及び前記第２指掛け部は、前後に並んで設けられているため、前記第１指掛け部に指を掛けてハンドル操作を行う場合に、前記第２指掛け部が指と指との間に位置することとなり、指が前記第２指掛け部に接触することが減る。これにより、前記第１指掛け部を使用する遊技者は、前記第２指掛け部に接触することによる不快感が低減される。
【０２００】
特徴３．前記カバー部は、前記ハンドル装置の前方に向けて半球形状に膨出しており、前記第２指掛け部は、前記カバー部の表面に沿い、前記第１指掛け部から前記カバー部の頂部に向かって延出していることを特徴とする特徴１又は２に記載の遊技機。
【０２０１】
特徴３によれば、前記ハンドル装置の前方に向けて半球形状に膨出した前記カバー部を前記ハンドル装置の前方から包むように把持することができる。また、前記カバー部の表面に沿い、前記第１指掛け部から前記頂部に向かって延出している前記第２指掛け部により、前記第２指掛け部に指が掛けられる範囲が前記第１指掛け部から前記頂部側まで広がる。これにより、遊技者は、手の大小に関係なく前記ハンドル装置の前方からハンドル操作を行うことができる。
【０２０２】
特徴４．前記ハンドル装置が遊技機本体における正面の左右方向の一方寄りに備えられており、前記操作部材の回動方向が前記ハンドル装置の設置方向と同方向であって、前記第２指掛け部は、前記第１指掛け部側である基端部（第２の実施形態における基端部２２６）から前記カバー部の頂部側である先端部（第２の実施形態における先端部２２７）に向けて前記操作部材の回動方向と逆向きに湾曲又は屈曲していることを特徴とする特徴１乃至３いずれか一項に記載の遊技機。
【０２０３】
特徴４によれば、前記第２指掛け部が前記基端部から前記先端部に向けて前記操作部材の回動方向と逆向きに湾曲又は屈曲しているとは、一般的に、前記ハンドル装置は前記遊技機の正面から見て右側に設けられており、前記操作部材を右方向に回動させて遊技球を発射させているため、前記第２指掛け部が前記基端部から前記先端部にむけて前記操作部材の回動方向と逆向きである左向きに屈曲又は湾曲していることである。これにより、遊技者が前記第２指掛け部に指を掛けた状態で、右向きに回動操作を行う場合には、指と前記第２指掛け部との接触面積が大きくなり、安定した回動操作を行うことが可能となる。なお、前記ハンドル装置が遊技機正面から見て左側に設けられた場合には、回動方向は左方向となり、前記第２指掛け部は右向きに屈曲又は湾曲している。
【０２０４】
特徴５．前記第１指掛け部の前記操作部材からの突出量（第１の実施形態における突出量Ｘ２）よりも、前記第２指掛け部の前記カバー部からの突出量（第１の実施形態における突出量Ｘ１）の方が小さくなっていることを特徴とする特徴１乃至４いずれか一項に記載の遊技機。
【０２０５】
特徴５によれば、突出量は、前記第１指掛け部よりも前記第２指掛け部の方が小さくなっているため、前記第２指掛け部と前記カバー部との高低差が前記第１指掛け部と前記操作部材との高低差よりも小さくなっている。これにより、遊技者が前記第１指掛け部に指を掛けた場合に、指以外の手のひら等が前記第２指掛け部に接触することによる不快感が低減される。
【０２０６】
特徴６．複数の前記第２指掛け部と一体的に回動し、それら第２指掛け部を環状に結合する回動部（第１の実施形態における回動リング１２５，第３の実施形態における回動リング３２５）が設けられていることを特徴とする特徴１乃至５いずれか一項に記載の遊技機。
【０２０７】
特徴６によれば、複数の前記第２指掛け部と一体的に回動し、それら第２指掛け部を環状に結合する回動部が設けられているため、前記第２指掛け部の撓みに対しての強度が上がる。これにより、ハンドル操作に伴う前記第２指掛け部の撓みが減少し、遊技者が前記第２指掛け部の撓みの影響を受けずに所望のハンドル操作を行うことが可能となる。
【０２０８】
特徴７．前記カバー部は、前記ハンドル装置の前方に向けて半球形状に膨出しており、複数の前記第２指掛け部は、前記カバー部の表面に沿い、前記第１指掛け部から前記カバー部の頂部へ向けて延出しているとともに、前記頂部側にて、それら第２指掛け部と前記回動部とが結合していることを特徴とする特徴６に記載の遊技機。
【０２０９】
特徴７によれば、前記頂部側にて、複数の前記第２指掛け部と結合された前記回動部により、前記第２指掛け部と前記頂部との間の隙間がなくなる。これにより、前記頂部側にコイン等が差し込まれることを防止できる。また、前記ハンドル装置の手前側に向けて半球形状に膨出した前記カバー部の表面に沿い、前記第２指掛け部が前記第１指掛け部から前記頂部へ向けて延出されており、前記カバー部と前記第２指掛け部との間の隙間は、前記カバー部の表面に沿っていることから所定の曲率を有した隙間となっている。これにより、略平板状のコイン等をこの隙間に差し込むことが困難となっている。
【０２１０】
特徴８．前記回動部は、前記ハンドル装置の内部にて、前記操作部材に固定されていることを特徴とする特徴６又は７に記載の遊技機。
【０２１１】
特徴８によれば、前記回動部は、前記ハンドル装置の内部にて、前記操作部材と固定されているため、前記回動部の回転角と前記操作部材の回転角とにおける位相のずれが減少する。これにより、遊技者が前記第２指掛け部に指を掛けてハンドル操作を行う場合に、回動部を介して、前記操作部材に所望の回動量を伝えることが可能となる。
【０２１２】
特徴９．前記第１指掛け部及び前記第２指掛け部は、前記第１指掛け部の背面から固定されていることを特徴とする特徴１乃至５いずれか一項に記載の遊技機。
【０２１３】
特徴９によれば、前記第２指掛け部は、前記ハンドル装置の背面側にて、前記第１指掛け部に固定されているため、固定された部分に対して固定を解除する器具等の使用が困難となる。これにより、それら指掛け部を不正に分解することが困難となる。また、前記第２指掛け部は、前記第１指掛け部に固定されているため、前記第１指掛け部の回転角と前記第２指掛け部の回転角とにおける位相のずれが減少する。これにより、遊技者は、前記第２指掛け部に指を掛けてハンドル操作を行った場合に、前記第１指掛け部を介して、前記操作部材に所望の回動量を伝えることが可能となる。
【０２１４】
特徴１０．遊技領域（遊技領域ＰＥ）に向けて遊技球を発射すべく操作されるハンドル装置（ハンドル装置７１）を遊技機本体（前扉枠１４）の正面に備えており、
前記ハンドル装置は、
前記遊技機本体に固定される基部（基部７２）を備えており、
前記ハンドル装置の前部を構成し、全体として前方に向けて半球形状に膨出した前面ユニット（前面ユニット７３）と、
前記基部と前記前面ユニットとの間に設けられ、遊技球の発射に際して回動操作されるとともに、その回動操作量に基づいて遊技球の発射速度を調整可能な操作部材（操作ハンドル７４）と
を備え、
前記前面ユニットは、
前記基部に固定され、前記前面ユニットの後方を構成する後側カバー部（後側カバー部１２４）と、
前記後側カバー部に固定され、前記前面ユニットの頂部を含む前方を構成する前側カバー部（前側カバー部１２３）と、
前記後側カバー部と前記前側カバー部との間に設けられ、前記操作部材と一体的に回動する回動部（回動リング１２５）と
を備え、
前記操作部材の外周から突出して設けられ、指を掛けた状態で前記操作部材を回動可能な複数の第１指掛け部（各奥側指掛け部１１５ａ〜１１５ｃ）と、
前記後側カバー部の表面よりも外側へ突出してそれら第１指掛け部の前方に並んで設けられ、それら第１指掛け部の背面からそれら第１指掛け部に固定された複数の第２指掛け部（各手前側指掛け部１１６ａ〜１１６ｃ）と
を備え、
それら第２指掛け部は、前記後側カバー部の表面に沿って前記頂部に向かい延出され、それら延出先が前記回動部と一体的に設けられ、それら第２指掛け部の突出量（突出量Ｘ１）がそれら第１指掛け部の突出量（突出量Ｘ２）よりも小さく、指を掛けた状態でそれら第１指掛け部を介して、前記操作部材を回動可能であることを特徴とする遊技機。
【０２１５】
特徴１０によれば、それら第１指掛け部及びそれら第２指掛け部が設けられているとともに、それら第１指掛け部の突出量よりもそれら第２指掛け部の突出量が小さいため、通常程度の手の大きさである遊技者が前記ハンドル装置を手前側から把持する場合には、前記操作部材の外周から突出して設けられたそれら第１指掛け部に指を掛けた状態で、前記操作部材を回動させることができ、指以外の手のひら等がそれら第２指掛け部に接触する不快感を低減できる。
【０２１６】
一方、通常程度よりも手の小さい遊技者が前記ハンドル装置を手前側から把持する場合には、それら第２指掛け部が前記カバー部の外側へ突出し、前記頂部に向かい延出されているため、通常程度よりも手の小さい遊技者は、それら第２指掛け部に指を掛け、それら第１指掛け部を介して、前記操作部材を回動操作することが可能となる。
【０２１７】
前記前側カバー部が設けられているため、前記ハンドル装置を手前側から把持する場合には、手の大小を問わず、前記前側カバー部を手前側から奥側に向けて押し付けながら、それら第１指掛け部及びそれら第２指掛け部のどちらか一方を選択して回動操作することができる。
【０２１８】
それら第１指掛け部とそれら第２指掛け部とがそれぞれ固定されているともに、それら第２指掛け部と前記回動部とが一体形成されているため、それら第２指掛け部の強度が上がる。それら第２指掛け部に指を掛けた状態で、それら第１指掛け部を介して、前記操作部材を回動させる際に、それら第１指掛け部の回転角とそれら第２指掛け部の回転角との位相のずれを低減できる。
【０２１９】
これらにより、遊技者は、手の大小に関係なく、前記ハンドル装置のハンドル操作を行うことができ、前記ハンドル装置の操作性が向上する。
【０２２０】
特徴１１．遊技領域（遊技領域ＰＥ）に向けて遊技球を発射すべく操作されるハンドル装置（ハンドル装置２０１）を遊技機本体（前扉枠１４）における正面の左右方向の一方寄りに備えており、
前記ハンドル装置は、
前記遊技機本体に固定される基部（基部７２）と、
前記ハンドル装置の前部を構成し、全体として前方に向けて半球形状に膨出したカバー部（カバー部２０３）と、
前記基部と前記カバー部との間に設けられ、遊技球の発射に際して回動操作されるとともに、その回動操作量に基づいて遊技球の発射速度を調整可能であり、その回動操作方向が前記ハンドル装置の設置方向と同方向に回動可能な操作部材（操作ハンドル２０４）と
を備えており、
前記操作部材の外周から突出して設けられ、指を掛けた状態で前記操作部材を回動可能な複数の第１指掛け部（各奥側指掛け部２１５ａ〜２１５ｃ）と、
前記カバー部の表面より外側に突出してそれら第１指掛け部の前方に並んで設けられ、それら第１指掛け部の背面からそれら第１指掛け部に固定されており、突出量がそれら第１指掛け部の突出量よりも小さく、指を掛けた状態でそれら第１指掛け部を介して、前記操作部材を回動可能な複数の第２指掛け部（各手前側指掛け部２１６ａ〜２１６ｃ）と
を備え、
それら第２指掛け部は、前記カバー部の表面に沿って前記カバー部の頂部に向かい延出され、それら第１指掛け部側である基端部（基端部２２６）から前記頂部側である先端部（先端部２２７）に向けて、前記操作部材の回動方向と逆向きに湾曲又は屈曲していることを特徴とする遊技機。
【０２２１】
特徴１１によれば、それら第１指掛け部及びそれら第２指掛け部が設けられているとともに、それら第１指掛け部の突出量よりもそれら第２指掛け部の突出量が小さいため、通常程度の手の大きさである遊技者が前記ハンドル装置を手前側から把持する場合には、前記操作部材の外周から突出して設けられたそれら第１指掛け部に指を掛けた状態で、前記操作部材を回動させることができ、指以外の手のひら等がそれら第２指掛け部に接触する不快感を低減できる。
【０２２２】
一方、通常程度よりも手の小さい遊技者が前記ハンドル装置を手前側から把持する場合には、それら第２指掛け部が前記カバー部の外側へ突出し、前記頂部に向かい延出されているため、通常程度よりも手の小さい遊技者は、それら第２指掛け部に指を掛け、それら第１指掛け部を介して、前記操作部材を回動操作することが可能となる。
【０２２３】
前記カバー部が設けられているため、前記ハンドル装置を手前側から把持する場合には、手の大小を問わず、前記カバー部を手前側から奥側に向けて押し付けながら、それら第１指掛け部及びそれら第２指掛け部の基端部側のどちらか一方を選択して回動操作することができる。
【０２２４】
それら第２指掛け部が前記基端部から前記先端部に向けて前記操作部材の回動方向と逆向きに湾曲又は屈曲しているとは、一般的に、前記ハンドル装置は前記遊技機正面から見て右側に設けられており、前記操作部材を右方向に回動させて遊技球を発射させているため、それら第２指掛け部のそれぞれが前記基端部から前記先端部にむけて前記操作部材の回動方向と逆向きである左向きに屈曲又は湾曲していることである。これにより、遊技者がそれら第２指掛け部に指を掛けた状態で、右向きに回動操作を行う場合には、指とそれら第２指掛け部との接触面積が大きくなり、安定した回動操作を行うことが可能となる。なお、前記ハンドル装置が遊技機正面から見て左側に設けられた場合には、回動方向は左方向となり、それら第２指掛け部は、それぞれが右向きに屈曲又は湾曲している。
【０２２５】
これらにより、遊技者は、手の大小に関係なく、前記ハンドル装置のハンドル操作を行うことができ、前記ハンドル装置の操作性が向上する。
【０２２６】
特徴１２．遊技領域（遊技領域ＰＥ）に向けて遊技球を発射すべく操作されるハンドル装置（ハンドル装置３０１）を遊技機本体（前扉枠１４）の正面に備えており、
前記ハンドル装置は、
前記遊技機本体に固定される基部（基部７２）を備えており、
前記ハンドル装置の前部を構成し、全体として前方に向けて膨出した前面ユニット（前面ユニット３０３）と、
前記基部と前記前面ユニットとの間に設けられ、遊技球の発射に際して回動操作されるとともに、その回動操作量に基づいて遊技球の発射速度を調整可能な操作部材（操作ハンドル３０４）と
を備え、
前記前面ユニットは、
前記基部に固定され、前記前面ユニットの後方を構成する後側カバー部（後側カバー部３２４）と、
前記後側カバー部に固定され、前記前面ユニットの前方を構成し、前記ハンドル装置の前方に向けて半球形状に形成された前側カバー部（前側カバー部３２３）と、
前記後側カバー部と前記前側カバー部との間に設けられ、前記後側カバー部の内部にて前記操作部材と固定され、前記操作部材と一体的に回動し、前記操作部材の外径よりも小さい外径である回動部（回動リング３２５）と
を備え、
前記操作部材の外周から突出して設けられ、指を掛けた状態で前記操作部材を回動可能な複数の第１指掛け部（各奥側指掛け部３１５ａ〜３１５ｃ）と、
前記回動部の外周から突出してそれら第１指掛け部の前方に並んで設けられ、突出量がそれら第１指掛け部の突出量よりも小さく、指を掛けた状態で前記回動部を介して、前記操作部材を回動可能な第２指掛け部（各手前側指掛け部３１６ａ〜３１６ｃ）と
を備えていることを特徴とする遊技機。
【０２２７】
特徴１２によれば、それら第１指掛け部及びそれら第２指掛け部が設けられているとともに、それら第１指掛け部の突出量よりもそれら第２指掛け部の突出量が小さいため、通常程度の手の大きさである遊技者が前記ハンドル装置を手前側から把持する場合には、前記操作部材の外周から突出して設けられたそれら第１指掛け部に指を掛けた状態で、前記操作部材を回動させることができ、指以外の手のひら等がそれら第２指掛け部に接触する不快感を低減できる。
【０２２８】
一方、通常程度よりも手の小さい遊技者が前記ハンドル装置を手前側から把持する場合には、それら第２指掛け部が前記操作部材の外径よりも小さい前記回動部の外周面から突出しているため、通常程度よりも手の小さい遊技者は、それら第２指掛け部に指を掛け、前記回動部を介して、前記操作部材を回動操作することが可能となる。
【０２２９】
前記前側カバー部が設けられているため、前記ハンドル装置を手前側から把持する場合には、手の大小を問わず、前記前側カバー部を手前側から奥側に向けて押し付けながら、それら第１指掛け部及びそれら第２指掛け部のどちらか一方を選択して回動操作することができる。
【０２３０】
前記操作部材と前記回動部とが前記後側カバー部の内部にて固定されているため、それら第２指掛け部の強度が上がる。それら第２指掛け部に指を掛けた状態で、前記回動部を介して、前記操作部材を回動させる際に、それら第１指掛け部の回転角とそれら第２指掛け部の回転角との位相のずれを低減できる。
【０２３１】
これらにより、遊技者は、手の大小に関係なく、前記ハンドル装置のハンドル操作を行うことができ、前記ハンドル装置の操作性が向上する。
【符号の説明】
【０２３２】
１０…パチンコ機、７１…ハンドル装置、７２…基部、７３…前面ユニット、７４…操作ハンドル、１１５ａ〜１１５ｃ…奥側指掛け部、１１６ａ〜１１６ｃ…手前側指掛け部、１１７…奥側指掛け凹部、１１８ａ，１１８ｂ…連結部、１１９…手前側指掛け凹部、１２０…貫通孔、１２１…ネジ孔、１２２…ネジ、１２３…前側カバー部、１２４…後側カバー部、１２５…回動リング、２０１…ハンドル装置、２０３…カバー部、２０４…操作ハンドル、２１５ａ〜２１５ｃ…奥側指掛け部、２１６ａ〜２１６ｃ…手前側指掛け部、２２６…基端部、２２７…先端部、２２８…操作面、２２８ａ…第１操作面、２２８ｂ…第２操作面、３０１…ハンドル装置、３０３…前面ユニット、３０４…操作ハンドル、３１５ａ〜３１５ｃ…奥側指掛け部、３１６ａ〜２１６ｃ…手前側指掛け部、３２３…前側カバー部、３２４…後側カバー部、３２５…回動リング、３２７…カバー内側環部、３２８…カバー外側環部、３２９ａ，３２９ｂ…ボス、３３０ａ，３３０ｂ…ガイド孔、３３１…取付部、３３２ａ，３３２ｂ…ネジ孔、３３３…ネジ、凹部…３４０。
【図１】
2015000105.tif 000003
【図２】
2015000105.tif 000004
【図３】
2015000105.tif 000005
【図４】
2015000105.tif 000006
【図５】
2015000105.tif 000007
【図６】
2015000105.tif 000008
【図７】
2015000105.tif 000009
【図８】
2015000105.tif 000010
【図９】
2015000105.tif 000011
【図１０】
2015000105.tif 000012
【図１１】
2015000105.tif 000013
【図１２】
2015000105.tif 000014
【図１３】
2015000105.tif 000015
【図１４】
2015000105.tif 000016
【図１５】
2015000105.tif 000017
【図１６】
2015000105.tif 000018
【図１７】
2015000105.tif 000019